(57)【特許請求の範囲】
【請求項１】
ワイヤレス通信の方法であって、
ワイヤレスデバイスによって、アンライセンス無線周波数スペクトル帯域へのアクセスを求めて競合することと、
前記ワイヤレスデバイスにおいてチャネル使用ビーコン信号（ＣＵＢＳ）を生成することと、ここにおいて、前記ＣＵＢＳの波形が、前記ワイヤレスデバイスによるスケジュールされたアップリンク送信に少なくとも部分的に基づき、ここにおいて、前記ＣＵＢＳを生成することは、
前記ＣＵＢＳの送信電力を前記スケジュールされたアップリンク送信の送信電力に一致させること、および
前記ＣＵＢＳの帯域幅を前記スケジュールされたアップリンク送信の帯域幅に一致させること
のうちの少なくとも１つを備える、
前記スケジュールされたアップリンク送信の前にアンライセンス無線周波数スペクトル帯域を占有するために、前記ワイヤレスデバイスによって、前記アンライセンス無線周波数スペクトル帯域を介して前記ＣＵＢＳを送信することと、
前記スケジュールされたアップリンク送信が、物理アップリンク共有チャネル（ＰＵＳＣＨ）送信、物理アップリンク制御チャネル（ＰＵＣＣＨ）送信、およびサウンディング基準信号（ＳＲＳ）送信からなる群から選択される送信を備え、
前記スケジュールされたアップリンク送信が、前記ＳＲＳ送信と、前記ＰＵＳＣＨ送信または前記ＰＵＣＣＨ送信のうちの少なくとも１つとの両方を備え、
前記ＣＵＢＳの帯域幅を前記ＰＵＳＣＨ送信または前記ＰＵＣＣＨ送信のうちの前記少なくとも１つに割り振られた周波数トーンセットに一致させることと、
前記ＳＲＳ送信を前記スケジュールされたアップリンク送信の最終シンボルとして送信することと
を備える、方法。
【請求項２】
前記ＣＵＢＳの前記帯域幅を前記スケジュールされたアップリンク送信の前記帯域幅に一致させることが、
前記ＣＵＢＳの帯域幅を前記スケジュールされたアップリンク送信に割り振られた周波数トーンセットに一致させること
を備える、請求項１に記載の方法。
【請求項３】
前記スケジュールされたアップリンク送信に関連付けられた静的または半静的スケジュールに少なくとも部分的に基づいて、前記スケジュールされたアップリンク送信に割り振られた前記周波数トーンセットを決定すること
をさらに備える、請求項２に記載の方法。
【請求項４】
前記ＣＵＢＳの前記帯域幅を前記スケジュールされたアップリンク送信の前記帯域幅に一致させることが、
前記ＣＵＢＳを送信するために使用されるリソースブロックの総数を前記スケジュールされたアップリンク送信に関連付けられたリソースブロックの総数に一致させること
を備える、請求項２に記載の方法。
【請求項５】
前記ＳＲＳ送信の総送信電力を前記ＰＵＳＣＨ送信または前記ＰＵＣＣＨ送信のうちの前記少なくとも１つの総送信電力に一致させること、および
前記ＳＲＳ送信の電力スペクトル密度を前記ＰＵＳＣＨ送信または前記ＰＵＣＣＨ送信のうちの前記少なくとも１つの電力スペクトル密度に一致させること
のうちの少なくとも１つをさらに備える、請求項１に記載の方法。
【請求項６】
前記スケジュールされたアップリンク送信が、前記ＰＵＳＣＨ送信または前記ＰＵＣＣＨ送信のうちの少なくとも１つで多重化された前記ＳＲＳ送信を含む多重化送信を備え、前記ＣＵＢＳが、前記多重化送信に割り振られた周波数トーンセットを介して送信される、請求項１に記載の方法。
【請求項７】
前記ＣＵＢＳの前記波形がさらに、前記ワイヤレスデバイスの識別情報に少なくとも部分的に基づいて生成される、請求項１に記載の方法。
【請求項８】
前記ワイヤレスデバイスが、第１のワイヤレスデバイスを備え、前記スケジュールされたアップリンク送信が、送信期間の間の基地局への複数のスケジュールされたアップリンク送信のうちの第１のスケジュールされたアップリンク送信を備え、前記複数のスケジュールされたアップリンク送信が、第２のワイヤレスデバイスによる第２のスケジュールされたアップリンク送信を備え、前記第１のスケジュールされたアップリンク送信が、前記第２のスケジュールされたアップリンク送信とは異なる、請求項１に記載の方法。
【請求項９】
前記スケジュールされたアップリンク送信が、第１のスケジュールされたアップリンク送信を備え、前記ＣＵＢＳが、第１のＣＵＢＳを備え、前記方法が、
前記ワイヤレスデバイスにおいて第２のＣＵＢＳを生成することと、ここにおいて、前記第２のＣＵＢＳの波形が、前記ワイヤレスデバイスによる第２のスケジュールされたアップリンク送信に少なくとも部分的に基づく、
前記第２のスケジュールされたアップリンク送信の前に前記アンライセンス無線周波数スペクトル帯域を占有するために、前記ワイヤレスデバイスによって、前記アンライセンス無線周波数スペクトル帯域を介して前記第２のＣＵＢＳを送信することと
をさらに備える、請求項１に記載の方法。
【請求項１０】
前記スケジュールされたアップリンク送信が、リッスンビフォアトーク（ＬＢＴ）フレーム、基地局同期フレーム、またはサブフレームからなる群から選択される送信期間についてスケジュールされる、請求項１に記載の方法。
【請求項１１】
前記ＣＵＢＳの前記波形がさらに、前記スケジュールされたアップリンク送信が最初にスケジュールされた送信期間の識別情報に少なくとも部分的に基づいて生成される、請求項１に記載の方法。
【請求項１２】
ワイヤレス通信のためのワイヤレスデバイス装置であって、
アンライセンス無線周波数スペクトル帯域へのアクセスを求めて競合するための手段と、
チャネル使用ビーコン信号（ＣＵＢＳ）を生成するための手段と、ここにおいて、前記ＣＵＢＳの波形が、前記ワイヤレスデバイスによるスケジュールされたアップリンク送信に少なくとも部分的に基づき、ここにおいて、前記ＣＵＢＳを生成するための前記手段は、
前記ＣＵＢＳの送信電力を前記スケジュールされたアップリンク送信の送信電力に一致させるための手段と、および
前記ＣＵＢＳの帯域幅を前記スケジュールされたアップリンク送信の帯域幅に一致させるための手段と
のうちの少なくとも１つを備える、
前記スケジュールされたアップリンク送信の前にアンライセンス無線周波数スペクトル帯域を占有するために、前記アンライセンス無線周波数スペクトル帯域を介して前記ＣＵＢＳを送信するための手段と、
前記スケジュールされたアップリンク送信が、物理アップリンク共有チャネル（ＰＵＳＣＨ）送信、物理アップリンク制御チャネル（ＰＵＣＣＨ）送信、およびサウンディング基準信号（ＳＲＳ）送信からなる群から選択される送信を備え、
前記スケジュールされたアップリンク送信が、前記ＳＲＳ送信と、前記ＰＵＳＣＨ送信または前記ＰＵＣＣＨ送信のうちの少なくとも１つとの両方を備え、
前記ＣＵＢＳの帯域幅を前記ＰＵＳＣＨ送信または前記ＰＵＣＣＨ送信のうちの前記少なくとも１つに割り振られた周波数トーンセットに一致させるための手段と、
前記ＳＲＳ送信を前記スケジュールされたアップリンク送信の最終シンボルとして送信するための手段と
を備える、装置。
【請求項１３】
プログラム命令を備えるコンピュータプログラムであって、前記プログラム命令は、請求項１から１１のうちの一項に記載の方法のすべてのステップを実現するようにコンピュータ実行可能である、コンピュータプログラム。
【発明の詳細な説明】
【技術分野】
【０００１】
相互参照
[0001]  本特許出願は、各々が本出願の譲受人に譲渡された、２０１５年４月１３日に出願された「Ｃｈａｎｎｅｌ  Ｕｓａｇｅ  Ｂｅａｃｏｎ  Ｓｉｇｎａｌ  Ｔｒａｎｓｍｉｓｓｉｏｎｓ  Ｂａｓｅｄ  ｏｎ  Ｕｐｌｉｎｋ  Ｔｒａｎｓｍｉｓｓｉｏｎｓ  Ｏｖｅｒ  ａｎ  Ｕｎｌｉｃｅｎｓｅｄ  Ｒａｄｉｏ  Ｆｒｅｑｕｅｎｃｙ  Ｓｐｅｃｔｒｕｍ」と題するＷｅｉらによる米国特許出願第１４／６８５，３２７号、および２０１４年６月１０日に出願された「Ｃｈａｎｎｅｌ  Ｕｓａｇｅ  Ｂｅａｃｏｎ  Ｓｉｇｎａｌ  Ｔｒａｎｓｍｉｓｓｉｏｎｓ  Ｂａｓｅｄ  ｏｎ  Ｕｐｌｉｎｋ  Ｔｒａｎｓｍｉｓｓｉｏｎｓ  Ｏｖｅｒ  ａｎ  Ｕｎｌｉｃｅｎｓｅｄ  Ｒａｄｉｏ  Ｆｒｅｑｕｅｎｃｙ  Ｓｐｅｃｔｒｕｍ」と題するＷｅｉらによる米国仮特許出願第６２／０１０，３６６号の優先権を主張する。
【０００２】
[0002]  以下は、一般にワイヤレス通信（wireless communication）に関し、より詳細には、アンライセンス無線周波数スペクトル帯域（unlicensed radio frequency spectrum band）を介したアップリンク送信に基づいたチャネル使用ビーコン信号（ＣＵＢＳ：channel usage beacon signal）送信に関する。
【背景技術】
【０００３】
[0003]  ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。
【０００４】
[0004]  例として、ワイヤレス多元接続通信システムは、各々が複数のワイヤレスデバイス（たとえば、モバイルフォンおよび／またはタブレットコンピュータ）のための通信を同時にサポートする、いくつかの基地局を含み得る。基地局は、（たとえば、基地局からワイヤレスデバイスへの送信のために）ダウンリンクチャネル上で、および（たとえば、ワイヤレスデバイスから基地局への送信のために）アップリンクチャネル上で、ワイヤレスデバイスと通信し得る。
【０００５】
[0005]  いくつかの通信モードは、セルラーネットワークの異なる無線周波数スペクトル帯域（たとえば、ライセンス無線周波数スペクトル帯域（licensed radio frequency spectrum band）および／またはアンライセンス無線周波数スペクトル帯域）を介したワイヤレスデバイスとの通信を可能にし得る。ライセンス無線周波数スペクトル帯域を使用するセルラーネットワークにおけるデータトラフィックの増加に伴い、少なくともいくつかのデータトラフィックをアンライセンス無線周波数スペクトル帯域にオフロード（offload）することは、拡張されたデータ送信容量の機会をセルラー事業者に提供し得る。アンライセンス無線周波数スペクトル帯域にアクセスし、アンライセンス無線周波数スペクトル帯域を介して通信する前に、送信装置は、いくつかの例では、アンライセンス無線周波数スペクトル帯域へのアクセスを求めて競合（contend）するために、リッスンビフォアトーク（ＬＢＴ：リッスンビフォアトーク）手順を実行し得る。ＬＢＴ手順は、アンライセンス無線周波数スペクトル帯域のチャネルが利用可能であるかどうかを決定するためにクリアチャネルアセスメント（ＣＣＡ：clear channel assessment）を実行することを含み得る。（たとえば、別のデバイスがアンライセンス無線周波数スペクトル帯域のチャネルをすでに使用しているので）アンライセンス無線周波数スペクトル帯域のチャネルが利用可能ではないと決定されると、後で再びそのチャネルについてＣＣＡが実行され得る。アンライセンス無線周波数スペクトル帯域のチャネルが利用可能である、すなわちクリアであると決定されると、チャネル使用ビーコン信号（ＣＵＢＳ）またはプリアンブル（preamble）は、ダウンリンク送信および／またはアップリンク送信がそのチャネルを介して行われ得るまでそのチャネルを予約するために、そのチャネルを介して送信され得る。
【発明の概要】
【０００６】
[0006]  本開示は一般に、アンライセンス無線周波数スペクトル帯域におけるアップリンク送信の前にＣＵＢＳを生成および送信するための１つまたは複数の改善された技法に関する。より詳細には、本技法は、たとえば、ＣＵＢＳの帯域幅（bandwidth）とスケジュールされたアップリンク送信（scheduled uplink transmission）の帯域幅を一致（matching）させる、ＣＵＢＳの送信電力（transmit power）とスケジュールされたアップリンク送信の送信電力を一致させる、および／または、ＣＵＢＳ内にスケジュールされたアップリンク送信の一部分を複製（duplicate）することによって、スケジュールされたアップリンク送信に基づいてＣＵＢＳを生成する。
【０００７】
[0007]  例示的な例の第１のセットでは、ワイヤレス通信のための方法が説明される。１つの例では、本方法は、ワイヤレスデバイスにおいてチャネル使用ビーコン信号（ＣＵＢＳ）を生成することと、ここにおいて、ＣＵＢＳの波形（waveform）が、ワイヤレスデバイスによるスケジュールされたアップリンク送信に少なくとも部分的に基づく、スケジュールされたアップリンク送信の前にアンライセンス無線周波数スペクトル帯域を占有するために、ワイヤレスデバイスによって、アンライセンス無線周波数スペクトル帯域を介してＣＵＢＳを送信することとを含み得る。
【０００８】
[0008]  本方法のいくつかの例では、ＣＵＢＳを生成することは、ＣＵＢＳの送信電力とスケジュールされたアップリンク送信の送信電力を一致させることを含み得る。本方法のいくつかの例では、ＣＵＢＳを生成することは、ＣＵＢＳの帯域幅とスケジュールされたアップリンク送信の帯域幅を一致させることを含み得る。
【０００９】
[0009]  本方法のいくつかの例では、ＣＵＢＳの帯域幅とスケジュールされたアップリンク送信の帯域幅を一致させることは、いくつかの例では、ＣＵＢＳの帯域幅とスケジュールされたアップリンク送信に割り振られた周波数トーンセット（frequency tone set）を一致させることを含み得る。いくつかの例では、本方法は、ＣＵＢＳ内にスケジュールされたアップリンク送信の少なくとも一部分を複製することを含み得る。いくつかの例では、本方法は、スケジュールされたアップリンク送信に割り振られた周波数トーンセットの指示を基地局から受信することを含み得る。いくつかの例では、本方法は、スケジュールされたアップリンク送信に関連付けられた静的または半静的スケジュール（static or semi-static schedule）に少なくとも部分的に基づいて、スケジュールされたアップリンク送信に割り振られた周波数トーンセットを決定することを含み得る。
【００１０】
[0010]  本方法のいくつかの例では、ＣＵＢＳの帯域幅とスケジュールされたアップリンク送信の帯域幅を一致させることは、ＣＵＢＳに関連付けられたリソースブロックインターレース（resource block interlace）の数とスケジュールされたアップリンク送信に関連付けられたリソースブロックインターレースの数を一致させることを含み得る。本方法のいくつかの例では、ＣＵＢＳの帯域幅とスケジュールされたアップリンク送信の帯域幅を一致させることは、ＣＵＢＳを送信するために使用されるリソースブロックの総数（total number of resource blocks）とスケジュールされたアップリンク送信に関連付けられたリソースブロックの総数を一致させることを含み得る。
【００１１】
[0011]  本方法のいくつかの例では、スケジュールされたアップリンク送信は、物理アップリンク共有チャネル（ＰＵＳＣＨ：physical uplink shared channel）送信、物理アップリンク制御チャネル（ＰＵＣＣＨ：physical uplink control channel）送信、およびサウンディング基準信号（ＳＲＳ：sounding reference signal）送信からなる群から選択される送信を含み得る。
【００１２】
[0012]  本方法のいくつかの例では、スケジュールされたアップリンク送信は、ＳＲＳ送信と、ＰＵＳＣＨ送信またはＰＵＣＣＨ送信のうちの少なくとも１つの両方を含み得る。これらの例では、本方法は、ＣＵＢＳの帯域幅とＰＵＳＣＨ送信またはＰＵＣＣＨ送信のうちの少なくとも１つに割り振られた周波数トーンセットを一致させることと、ＳＲＳ送信をスケジュールされたアップリンク送信の最終シンボル（last symbol）として送信することとを含み得る。これらの例のうちのいくつかでは、本方法は、ＳＲＳ送信の総送信電力（total transmit power）とＰＵＳＣＨ送信もしくはＰＵＣＣＨ送信のうちの少なくとも１つの総送信電力を一致させること、および／または、ＳＲＳ送信の電力スペクトル密度（power spectral density）とＰＵＳＣＨ送信もしくはＰＵＣＣＨ送信のうちの少なくとも１つの電力スペクトル密度を一致させることをさらに含み得る。
【００１３】
[0013]  本方法のいくつかの例では、スケジュールされたアップリンク送信は、ＰＵＳＣＨ送信またはＰＵＣＣＨ送信のうちの少なくとも１つで多重化されたＳＲＳ送信を含む多重化送信（multiplexed transmission）を含み得る。これらの例では、ＣＵＢＳは、多重化送信に割り振られた周波数トーンセットを介して送信され得る。
【００１４】
[0014]  本方法のいくつかの例では、ＣＵＢＳの波形はさらに、ワイヤレスデバイスの識別情報（identity of the wireless device）に少なくとも部分的に基づいて生成され得る。本方法のいくつかの例では、ＣＵＢＳの波形はさらに、スケジュールされたアップリンク送信が最初にスケジュールされた送信期間（transmission period）の識別情報に少なくとも部分的に基づいて生成され得る。本方法のいくつかの例では、スケジュールされたアップリンク送信は、リッスンビフォアトーク（ＬＢＴ：Listen Before Talk）フレーム、基地局同期フレーム（base station synchronization frame）またはサブフレーム（subframe）からなる群から選択される送信期間の間にスケジュールされ得る。
【００１５】
[0015]  本方法のいくつかの例では、ワイヤレスデバイスは、第１のワイヤレスデバイスを含み得、スケジュールされたアップリンク送信は、送信期間の間の基地局への複数のスケジュールされたアップリンク送信のうちの第１のスケジュールされたアップリンク送信を含み得る。複数のスケジュールされたアップリンク送信はまた、第２のワイヤレスデバイスによる第２のスケジュールされたアップリンク送信を含み得る。第１のスケジュールされたアップリンク送信は、第２のスケジュールされたアップリンク送信とは異なり得る。
【００１６】
[0016]  本方法のいくつかの例では、スケジュールされたアップリンク送信は、第１のスケジュールされたアップリンク送信を含み得、ＣＵＢＳは、第１のＣＵＢＳを含み得る。これらの例では、本方法は、ワイヤレスデバイスにおいて第２のＣＵＢＳを生成することと、ここにおいて、第２のＣＵＢＳの波形が、ワイヤレスデバイスによる第２のスケジュールされたアップリンク送信に少なくとも部分的に基づき得る、第２のスケジュールされたアップリンク送信の前にアンライセンス無線周波数スペクトル帯域を占有するために、ワイヤレスデバイスによって、アンライセンス無線周波数スペクトル帯域を介して第２のＣＵＢＳを送信することとをさらに含み得る。
【００１７】
[0017]  例示的な例の第２のセットでは、ワイヤレス通信のための装置が説明される。１つの構成では、本装置は、ワイヤレスデバイスにおいてＣＵＢＳを生成するための手段と、ここにおいて、ＣＵＢＳの波形が、ワイヤレスデバイスによるスケジュールされたアップリンク送信に少なくとも部分的に基づく、スケジュールされたアップリンク送信の前にアンライセンス無線周波数スペクトル帯域を占有するために、ワイヤレスデバイスによって、アンライセンス無線周波数スペクトル帯域を介してＣＵＢＳを送信するための手段とを含み得る。いくつかの例では、本装置は、例示的な例の第１のセットに関して上記で説明されたワイヤレス通信のための方法の１つまたは複数の態様を実装するための手段をさらに含み得る。
【００１８】
[0018]  例示的な例の第３のセットでは、ワイヤレス通信のための別の装置が説明される。１つの構成では、本装置は、プロセッサと、プロセッサと電子通信しているメモリと、メモリに記憶された命令とを含み得る。命令は、ワイヤレスデバイスにおいてＣＵＢＳを生成することと、ここにおいて、ＣＵＢＳの波形が、ワイヤレスデバイスによるスケジュールされたアップリンク送信に少なくとも部分的に基づく、スケジュールされたアップリンク送信の前にアンライセンス無線周波数スペクトル帯域を占有するために、ワイヤレスデバイスによって、アンライセンス無線周波数スペクトル帯域を介してＣＵＢＳを送信することとを行うようにプロセッサによって実行可能であり得る。いくつかの例では、命令はまた、例示的な例の第１のセットに関して上記で説明されたワイヤレス通信のための方法の１つまたは複数の態様を実装するようにプロセッサによって実行可能であり得る。
【００１９】
[0019]  例示的な例の第４のセットでは、ワイヤレス通信のためのコードを記憶する非一時的コンピュータ可読媒体（non-transitory computer-readable medium）が説明される。コードは、ワイヤレスデバイスにおいてＣＵＢＳを生成することと、ここにおいて、ＣＵＢＳの波形が、ワイヤレスデバイスによるスケジュールされたアップリンク送信に少なくとも部分的に基づく、スケジュールされたアップリンク送信の前にアンライセンス無線周波数スペクトル帯域を占有するために、ワイヤレスデバイスによって、アンライセンス無線周波数スペクトル帯域を介してＣＵＢＳを送信することとを行うようにプロセッサによって実行可能な命令を含み得る。いくつかの例では、命令はまた、例示的な例の第１のセットに関して上記で説明されたワイヤレス通信のための方法の１つまたは複数の態様を実装することをワイヤレス通信装置に行わせるようにプロセッサによって実行可能であり得る。
【００２０】
[0020]  上記では、以下の発明を実施するための形態がより良く理解され得るように、本開示による例の特徴および技術的利点をかなり広範に概説した。追加の特徴および利点が以下で説明される。開示される概念および具体例は、本開示の同じ目的を実施するための他の構造を修正または設計するための基礎として容易に利用され得る。そのような等価な構成は、添付の特許請求の範囲の趣旨および範囲から逸脱しない。本明細書で開示される概念を特徴づけると考えられる特徴は、それらの編成と動作方法の両方に関して、関連する利点とともに、添付の図に関連して以下の説明を検討するとより良く理解されよう。図の各々は、例示および説明のみのために与えられるものであり、特許請求の範囲の限定の定義として与えられるものではない。
【００２１】
[0021]  本発明の性質および利点のさらなる理解は、以下の図面を参照することによって実現され得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれにも適用可能である。
【００２２】
[0022]  本開示の性質および利点のさらなる理解は、以下の図面を参照することによって実現され得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれにも適用可能である。
【図面の簡単な説明】
【００２３】
【図１】[0023]  本開示の様々な態様による、ワイヤレス通信システムのブロック図。
【図２】[0024]  本開示の様々な態様による、アンライセンス無線周波数スペクトル帯域を使用する異なるシナリオの下でＬＴＥ（登録商標）／ＬＴＥ−Ａが展開されるワイヤレス通信システムを示す図。
【図３】[0025]  本開示の様々な態様による、アンライセンス無線周波数スペクトル帯域におけるセルラーダウンリンクのためのゲーティング間隔（gating interval）（またはＬＢＴ無線フレーム）の例を示す図。
【図４】[0026]  本開示の様々な態様による、アンライセンス無線周波数スペクトル帯域を介したワイヤレス通信の一例を示す図。
【図５】[0027]  本開示の様々な態様による、アンライセンス無線周波数スペクトル帯域を介したワイヤレス通信の一例を示す図。
【図６】[0028]  本開示の様々な態様による、基地局（たとえば、ｅＮＢの一部または全部を形成する基地局）とワイヤレスデバイスとの間のメッセージフローを示す図。
【図７】[0029]  本開示の様々な態様による、アンライセンス無線周波数スペクトル帯域を介したＣＵＢＳおよびＰＵＳＣＨの例示的な送信を示す図。
【図８】[0030]  本開示の様々な態様による、アンライセンス無線周波数スペクトル帯域を介したＣＵＢＳおよびＰＵＣＣＨの例示的な送信を示す図。
【図９】[0031]  本開示の様々な態様による、アンライセンス無線周波数スペクトル帯域を介したＣＵＢＳおよびＳＲＳの例示的な送信を示す図。
【図１０】[0032]  本開示の様々な態様による、ワイヤレス通信において使用するための装置のブロック図。
【図１１】[0033]  本開示の様々な態様による、ワイヤレス通信において使用するための装置のブロック図。
【図１２】[0034]  本開示の様々な態様による、ＣＵＢＳ生成モジュールのブロック図。
【図１３】[0035]  本開示の様々な態様による、ワイヤレス通信において使用するためのワイヤレスデバイス（たとえば、１つまたは複数の基地局と通信することが可能なＵＥ）のブロック図。
【図１４】[0036]  本開示の様々な態様による、ワイヤレス通信において使用するための基地局（たとえば、ｅＮＢの一部または全部を形成する基地局）のブロック図。
【図１５】[0037]  本開示の様々な態様による、ワイヤレス通信のための方法の一例を示すフローチャート。
【図１６】[0038]  本開示の様々な態様による、ワイヤレス通信のための方法の一例を示すフローチャート。
【図１７】[0039]  本開示の様々な態様による、ワイヤレス通信のための方法の一例を示すフローチャート。
【発明を実施するための形態】
【００２４】
[0040]  ＣＵＢＳ送信がアンライセンス無線周波数スペクトル帯域を介したアップリンク送信に基づく技法が説明される。本明細書で使用される場合、ＣＵＢＳは、少なくともいくつかの点において、データ送信に先行するプリアンブルとして機能する、任意の信号であり得る。いくつかの例では、アンライセンス無線周波数スペクトル帯域は、セルラー通信（たとえば、ロングタームエボリューション（ＬＴＥ：Long Term Evolution）通信および／またはＬＴＥアドバンスト（ＬＴＥ−Ａ）通信）のために使用され得る。いくつかの例では、アンライセンス無線周波数スペクトル帯域は、無線周波数スペクトル帯域が少なくとも部分的にＷｉ−Ｆｉ（登録商標）用途）などのアンライセンス用途に利用可能であるので、装置がアクセスを求めて競合する必要があり得る、無線周波数スペクトル帯域であり得る。
【００２５】
[0041]  ライセンス無線周波数スペクトル帯域（licensed radio frequency spectrum band）を使用するセルラーネットワークにおけるデータトラフィックの増加に伴い、少なくともいくつかのデータトラフィックをアンライセンス無線周波数スペクトル帯域にオフロードすることは、拡張されたデータ送信容量の機会をセルラー事業者（たとえば、パブリックランドモバイルネットワーク（ＰＬＭＮ）および／またはＬＴＥ／ＬＴＥ−Ａネットワークなどのセルラーネットワークを定義する基地局の協調セットの事業者）に提供し得る。アンライセンス無線周波数スペクトル帯域にアクセスし、アンライセンス無線周波数スペクトル帯域を介して通信する前に、送信装置は、いくつかの例では、アンライセンス無線周波数スペクトル帯域にアクセスするために、ＬＢＴ手順を実行し得る。そのようなＬＢＴ手順は、アンライセンス無線周波数スペクトル帯域のチャネルが利用可能であるかどうかを決定するために（いくつかの例では、拡張ＣＣＡを含む）ＣＣＡを実行することを含み得る。チャネルが利用可能ではないと決定されると、後で再びそのチャネルについてＣＣＡが実行され得る。アンライセンス無線周波数スペクトル帯域のチャネルが利用可能である、すなわちクリアであると決定されると、ＣＵＢＳは、ダウンリンク送信および／またはアップリンク送信がそのチャネルを介して行われ得るまでそのチャネルを予約するために、そのチャネルを介して送信され得る。
【００２６】
[0042]  開示される技法は、たとえば、ＣＵＢＳの帯域幅とスケジュールされたアップリンク送信の帯域幅を一致させる、ＣＵＢＳの送信電力とスケジュールされたアップリンク送信の送信電力を一致させる、および／または、ＣＵＢＳ内にスケジュールされたアップリンク送信の一部分を複製することによって、スケジュールされたアップリンク送信に基づいてＣＵＢＳを生成する。
【００２７】
[0043]  本明細書で説明される技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムに使用され得る。「システム（system）」および「ネットワーク（network）」という用語は、しばしば互換的に使用される。ＣＤＭＡシステムは、ＣＤＭＡ２０００、ユニバーサル地上波無線アクセス（ＵＴＲＡ：Universal Terrestrial Radio Access）などの無線技術を実装し得る。ＣＤＭＡ２０００は、ＩＳ−２０００規格と、ＩＳ−９５規格と、ＩＳ−８５６規格とをカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））とＣＤＭＡの他の変形形態とを含む。ＴＤＭＡシステムは、モバイル通信用グローバルシステム（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（ＷｉＦｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰ（登録商標）ロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明される技法は、上述のシステムおよび無線技術、ならびに他のシステムおよび無線技術に使用され得る。しかしながら、以下の説明は、例としてＬＴＥシステムについて説明し、以下の説明の大部分においてＬＴＥ用語が使用されるが、本技法はＬＴＥ用途以外に適用可能である。
【００２８】
[0044]  以下の説明は例を与えるものであり、特許請求の範囲に記載される範囲、適用可能性、または例を限定するものではない。本開示の趣旨および範囲から逸脱することなく、説明される要素の機能および配置において変更が行われ得る。様々な例は、適宜に様々な手順または構成要素を省略、置換、または追加し得る。たとえば、説明される方法は、説明される順序とは異なる順序で実行され得、様々なステップが追加、省略、または組み合わされ得る。また、いくつかの例に関して説明される特徴は、他の例において組み合わされ得る。
【００２９】
[0045]  図１は、本開示の様々な態様による、ワイヤレス通信システム１００のブロック図を示す。ワイヤレス通信システム１００は、複数の基地局１０５（たとえば、１つまたは複数のｅＮＢの一部または全部を形成する基地局）と、いくつかのワイヤレスデバイス１１５（たとえば、ユーザ機器（ＵＥ：user equipment））と、コアネットワーク１３０とを含み得る。基地局１０５のうちのいくつかは、様々な例ではコアネットワーク１３０の一部または基地局１０５のうちのいくつかであり得る、基地局コントローラ（図示せず）の制御下でワイヤレスデバイス１１５と通信し得る。基地局１０５のうちのいくつかは、バックホール（backhaul）１３２を通じてコアネットワーク１３０と制御情報および／またはユーザデータを通信し得る。いくつかの例では、基地局１０５のうちのいくつかは、ワイヤードまたはワイヤレス通信リンクであり得るバックホールリンク（backhaul link）１３４を介して、直接または間接的のいずれかで、互いに通信し得る。ワイヤレス通信システム１００は、複数のキャリア（異なる周波数の波形信号）上での動作をサポートし得る。マルチキャリア送信機は、複数のキャリア上で同時に被変調信号を送信することができる。たとえば、各通信リンク１２５は、様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送し得る。
【００３０】
[0046]  基地局１０５は、１つまたは複数の基地局アンテナを介してワイヤレスデバイス１１５とワイヤレス通信し得る。基地局１０５の各々は、それぞれのカバレージエリア１１０に通信カバレージを与え得る。いくつかの例では、基地局１０５は、アクセスポイント、基地トランシーバ局（ＢＴＳ）、無線基地局、無線トランシーバ、基本サービスセット（ＢＳＳ）、拡張サービスセット（ＥＳＳ）、ノードＢ、発展型ノードＢ（ｅＮＢ）、ホームノードＢ、ホームｅノードＢ、ワイヤレスローカルエリアネットワーク（ＷＬＡＮ）アクセスポイント、ＷｉＦｉノード、または何らかの他の適切な用語で呼ばれることがある。基地局１０５のためのカバレージエリア１１０は、カバレージエリアの一部分のみを構成するセクタに分割され得る。ワイヤレス通信システム１００は、異なるタイプの基地局１０５（たとえば、マクロ基地局、マイクロ基地局、および／またはピコ基地局）を含み得る。基地局１０５はまた、セルラーおよび／またはＷＬＡＮ無線アクセス技術などの異なる無線技術を利用し得る。基地局１０５は、同じまたは異なるアクセスネットワークまたは事業者展開（たとえば、本明細書ではまとめて「事業者（operator）」と呼ばれる）に関連付けられ得る。同じもしくは異なるタイプの基地局１０５のカバレージエリアを含み、同じもしくは異なる無線技術を利用し、および／または同じもしくは異なるアクセスネットワークに属する、異なる基地局１０５のカバレージエリアは重複し得る。
【００３１】
[0047]  いくつかの例では、ワイヤレス通信システム１００は、ＬＴＥ／ＬＴＥ−Ａ通信システム（またはネットワーク）を含み得、そのＬＴＥ／ＬＴＥ−Ａ通信システムは、ライセンス無線周波数スペクトル帯域（たとえば、ＬＴＥ／ＬＴＥ−Ａ通信に使用できるライセンス無線周波数スペクトル帯域など、無線周波数スペクトル帯域が特定の用途のために特定のユーザに認可されているので、装置がアクセスを求めて競合しない無線周波数スペクトル帯域）および／またはアンライセンス無線周波数スペクトル帯域（たとえば、無線周波数スペクトル帯域がＷｉ−Ｆｉ用途などのアンライセンス用途のために利用可能であるので、装置がアクセスを求めて競合する必要があり得る無線周波数スペクトル帯域）における１つまたは複数の動作モードまたは展開をサポートし得る。他の例では、ワイヤレス通信システム１００は、ＬＴＥ／ＬＴＥ−Ａとは異なる１つまたは複数のアクセス技術を使用してワイヤレス通信をサポートし得る。ＬＴＥ／ＬＴＥ−Ａ通信システムでは、発展型ノードＢまたはｅＮＢという用語は、たとえば、基地局１０５の複数またはグループを表すために使用され得る。
【００３２】
[0048]  ワイヤレス通信システム１００は、異なるタイプの基地局１０５が様々な地理的領域にカバレージを与える、異種ＬＴＥ／ＬＴＥ−Ａネットワークであるか、またはそれを含み得る。たとえば、各基地局１０５は、マクロセル、ピコセル、フェムトセル、および／または他のタイプのセルに通信カバレージを与え得る。ピコセル、フェムトセル、および／または他のタイプのセルなどのスモールセルは、低電力ノードすなわちＬＰＮを含み得る。マクロセルは、たとえば、比較的大きい地理的エリア（たとえば、半径数キロメートル）をカバーし、ネットワークプロバイダのサービスに加入しているＵＥによる無制限アクセスを可能にし得る。ピコセルは、たとえば、比較的より小さい地理的エリアをカバーし、ネットワークプロバイダのサービスに加入しているＵＥによる無制限アクセスを可能にし得る。また、フェムトセルは、たとえば、比較的小さい地理的エリア（たとえば、自宅）をカバーし、無制限アクセスに加えて、フェムトセルとの関連を有するＵＥ（たとえば、限定加入者グループ（ＣＳＧ：closed subscriber group）中のＵＥ、自宅内のユーザのためのＵＥなど）による制限付きアクセスも与え得る。マクロセルのためのｅＮＢは、マクロｅＮＢと呼ばれることがある。ピコセルのためのｅＮＢは、ピコｅＮＢと呼ばれることがある。また、フェムトセルのためのｅＮＢは、フェムトｅＮＢまたはホームｅＮＢと呼ばれることがある。ｅＮＢは、１つまたは複数の（たとえば、２つ、３つ、４つなどの）セルをサポートし得る。
【００３３】
[0049]  コアネットワーク１３０は、バックホール１３２（たとえば、Ｓ１アプリケーションプロトコルなど）を介して基地局１０５と通信し得る。基地局１０５はまた、たとえば、バックホールリンク１３４（たとえば、Ｘ２アプリケーションプロトコルなど）を介して、および／またはバックホール１３２を介して（たとえば、コアネットワーク１３０を通じて）、直接または間接的に互いと通信し得る。ワイヤレス通信システム１００は、同期動作または非同期動作をサポートし得る。同期動作の場合、ｅＮＢは同様のフレームタイミングおよび／またはゲーティングタイミングを有し得、異なるｅＮＢからの送信は時間的にほぼ整合され得る。非同期動作の場合、ｅＮＢは異なるフレームタイミングおよび／またはゲーティングタイミングを有し得、異なるｅＮＢからの送信は時間的に整合されないことがある。
【００３４】
[0050]  ワイヤレスデバイス１１５は、ワイヤレス通信システム１００全体にわたって分散されていることがある。ワイヤレスデバイス１１５は、当業者によって、ＵＥ、モバイルデバイス、移動局、加入者局、モバイルユニット、加入者ユニット、ワイヤレスユニット、リモートユニット、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語で呼ばれることもある。ワイヤレスデバイス１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、時計または眼鏡などのウェアラブルアイテム、ワイヤレスローカルループ（ＷＬＬ）局などであり得る。ワイヤレスデバイス１１５は、マクロｅＮＢ、ピコｅＮＢ、フェムトｅＮＢ、リレーなどと通信することが可能であり得る。ワイヤレスデバイス１１５はまた、セルラーもしくは他のＷＷＡＮアクセスネットワーク、またはＷＬＡＮアクセスネットワークなど、異なるタイプのアクセスネットワークを介して通信することが可能であり得る。ワイヤレスデバイス１１５とのいくつかの通信モードでは、通信は複数の通信リンク１２５またはチャネル（すなわち、コンポーネントキャリア）を介して行われ得、各チャネルは、ワイヤレスデバイス１１５といくつかのセル（たとえば、サービングセル、これらのセルは場合によっては同じまたは異なる基地局１０５によって動作され得る）のうちの１つとの間のコンポーネントキャリアを使用する。
【００３５】
[0051]  各コンポーネントキャリアは、ライセンス無線周波数スペクトル帯域またはアンライセンス無線周波数スペクトル帯域を介して提供され得、特定の通信モードで使用されるコンポーネントキャリアのセットは、すべて（たとえば、ワイヤレスデバイス１１５において）ライセンス無線周波数スペクトル帯域を介して受信されるか、すべて（たとえば、ワイヤレスデバイス１１５において）アンライセンス無線周波数スペクトル帯域を介して受信されるか、または（たとえば、ワイヤレスデバイス１１５において）ライセンス無線周波数スペクトル帯域とアンライセンス無線周波数スペクトル帯域の組合せを介して受信され得る。
【００３６】
[0052]  ワイヤレス通信システム１００において示される通信リンク１２５は、アップリンク（ＵＬ）通信（たとえば、ワイヤレスデバイス１１５から基地局１０５への送信）を搬送するための（コンポーネントキャリアを使用する）アップリンクチャネルおよび／またはダウンリンク（ＤＬ）通信（たとえば、基地局１０５からワイヤレスデバイス１１５への送信）を搬送するための（コンポーネントキャリアを使用する）ダウンリンクチャネルを含み得る。ＵＬ通信または送信は逆方向リンク通信または送信と呼ばれることもあり、ＤＬ通信または送信は順方向リンク通信または送信と呼ばれることもある。ダウンリンク通信および／またはアップリンク通信は、ライセンス無線周波数スペクトル帯域、アンライセンス無線周波数スペクトル帯域、またはその両方を使用して行われ得る。
【００３７】
[0053]  ワイヤレス通信システム１００のいくつかの例では、ＬＴＥ／ＬＴＥ−Ａは、アンライセンス無線周波数スペクトル帯域を使用する異なるシナリオの下で展開され得る。展開シナリオは、ライセンス無線周波数スペクトル帯域におけるＬＴＥ／ＬＴＥ−Ａダウンリンク通信がアンライセンス無線周波数スペクトル帯域にオフロードされ得る補助ダウンリンクモード（supplemental downlink mode）、ＬＴＥ／ＬＴＥ−Ａダウンリンク通信とＬＴＥ／ＬＴＥ−Ａアップリンク通信の両方がライセンス無線周波数スペクトル帯域からアンライセンス無線周波数スペクトル帯域にオフロードされ得るキャリアアグリゲーションモード（carrier aggregation mode）、ならびに／または、基地局１０５とワイヤレスデバイス１１５との間のＬＴＥ／ＬＴＥ−Ａダウンリンク通信およびＬＴＥ／ＬＴＥ−Ａアップリンク通信がアンライセンス無線周波数スペクトル帯域において行われ得るスタンドアロンモード（standalone mode）を含み得る。基地局１０５ならびにワイヤレスデバイス１１５は、いくつかの例では、これらまたは同様の動作モードのうちの１つまたは複数をサポートし得る。ＯＦＤＭＡ波形は、ライセンス無線周波数スペクトル帯域および／またはアンライセンス無線周波数スペクトル帯域におけるＬＴＥ／ＬＴＥ−Ａダウンリンク通信のための通信リンク１２５において使用され得、ＯＦＤＭＡ波形、ＳＣ−ＦＤＭＡ波形および／またはリソースブロックインターリーブＦＤＭＡ波形は、ライセンス無線周波数スペクトル帯域および／またはアンライセンス無線周波数スペクトル帯域におけるＬＴＥ／ＬＴＥ−Ａアップリンク通信のための通信リンク１２５において使用され得る。
【００３８】
[0054]  図２は、本開示の様々な態様による、アンライセンス無線周波数スペクトル帯域を使用する異なるシナリオの下でＬＴＥ／ＬＴＥ−Ａが展開されるワイヤレス通信システム２００を示す。より詳細には、図２は、ＬＴＥ／ＬＴＥ−Ａがアンライセンス無線周波数スペクトル帯域を使用して展開される、補助ダウンリンクモード、キャリアアグリゲーションモード、およびスタンドアロンモードの例を示す。ワイヤレス通信システム２００は、図１を参照しながら説明されたワイヤレス通信システム１００の部分の一例であり得る。さらに、第１の基地局２０５および第２の基地局２０５−ａは、図１を参照しながら説明された基地局１０５のうちの１つまたは複数の基地局の態様の例であり得、第１のワイヤレスデバイス２１５、第２のワイヤレスデバイス２１５−ａ、第３のワイヤレスデバイス２１５−ｂ、および第４のワイヤレスデバイス２１５−ｃは、図１を参照しながら説明されたワイヤレスデバイス１１５のうちの１つまたは複数のワイヤレスデバイスの態様の例であり得る。
【００３９】
[0055]  ワイヤレス通信システム２００における補助ダウンリンクモードの例では、第１の基地局２０５は、ダウンリンクチャネル２２０を使用して第１のワイヤレスデバイス２１５にＯＦＤＭＡ波形を送信し得る。ダウンリンクチャネル２２０は、アンライセンス無線周波数スペクトル帯域における周波数Ｆ１に関連付けられ得る。第１の基地局２０５は、第１の双方向リンク２２５を使用して第１のワイヤレスデバイス２１５にＯＦＤＭＡ波形を送信し得、第１の双方向リンク２２５を使用して第１のワイヤレスデバイス２１５からＳＣ−ＦＤＭＡ波形を受信し得る。第１の双方向リンク２２５は、ライセンス無線周波数スペクトル帯域における周波数Ｆ４に関連付けられ得る。アンライセンス無線周波数スペクトル帯域におけるダウンリンクチャネル２２０およびライセンス無線周波数スペクトル帯域における第１の双方向リンク２２５は、同時に動作し得る。ダウンリンクチャネル２２０は、第１の基地局２０５にダウンリンク容量のオフロードを提供し得る。いくつかの例では、ダウンリンクチャネル２２０は、（たとえば、１つのワイヤレスデバイスに宛てられた）ユニキャストサービスのために、または（たとえば、いくつかのワイヤレスデバイスに宛てられた）マルチキャストサービスのために使用され得る。このシナリオは、ライセンス無線周波数スペクトルを使用し、トラフィックおよび／またはシグナリングの輻輳の一部を緩和する必要がある、任意のサービスプロバイダ（たとえば、モバイルネットワーク事業者（ＭＮＯ：mobile network operator））に対して生じ得る。
【００４０】
[0056]  ワイヤレス通信システム２００におけるキャリアアグリゲーションモードの１つの例では、第１の基地局２０５は、第２の双方向リンク２３０を使用して第２のワイヤレスデバイス２１５−ａにＯＦＤＭＡ波形を送信し得、第２の双方向リンク２３０を使用して第２のワイヤレスデバイス２１５−ａからＯＦＤＭＡ波形、ＳＣ−ＦＤＭＡ波形、および／またはリソースブロックインターリーブＦＤＭＡ波形を受信し得る。第２の双方向リンク２３０は、アンライセンス無線周波数スペクトル帯域における周波数Ｆ１に関連付けられ得る。第１の基地局２０５はまた、第３の双方向リンク２３５を使用して第２のワイヤレスデバイス２１５−ａにＯＦＤＭＡ波形を送信し得、第３の双方向リンク２３５を使用して第２のワイヤレスデバイス２１５−ａからＳＣ−ＦＤＭＡ波形を受信し得る。第３の双方向リンク２３５は、ライセンス無線周波数スペクトル帯域における周波数Ｆ２に関連付けられ得る。第２の双方向リンク２３０は、第１の基地局２０５にダウンリンク容量およびアップリンク容量のオフロードを提供し得る。上記で説明された補助ダウンリンクのように、このシナリオは、ライセンス無線周波数スペクトルを使用し、トラフィックおよび／またはシグナリングの輻輳の一部を緩和する必要がある、任意のサービスプロバイダ（たとえば、ＭＮＯ）に対して生じ得る。
【００４１】
[0057]  ワイヤレス通信システム２００におけるキャリアアグリゲーションモードの別の例では、第１の基地局２０５は、第４の双方向リンク２４０を使用して第３のワイヤレスデバイス２１５−ｂにＯＦＤＭＡ波形を送信し得、第４の双方向リンク２４０を使用して第３のワイヤレスデバイス２１５−ｂからＯＦＤＭＡ波形、ＳＣ−ＦＤＭＡ波形、および／またはリソースブロックインターリーブ波形（resource block interleaved waveform）を受信し得る。第４の双方向リンク２４０は、アンライセンス無線周波数スペクトル帯域における周波数Ｆ３に関連付けられ得る。第１の基地局２０５はまた、第５の双方向リンク２４５を使用して第３のワイヤレスデバイス２１５−ｂにＯＦＤＭＡ波形を送信し得、第５の双方向リンク２４５を使用して第３のワイヤレスデバイス２１５−ｂからＳＣ−ＦＤＭＡ波形を受信し得る。第５の双方向リンク２４５は、ライセンス無線周波数スペクトル帯域における周波数Ｆ２に関連付けられ得る。第４の双方向リンク２４０は、第１の基地局２０５にダウンリンク容量およびアップリンク容量のオフロードを提供し得る。この例および上記で与えられた例は説明のために提示され、容量オフロード（capacity offload）のためにライセンス無線周波数スペクトルにおけるＬＴＥ／ＬＴＥ−Ａとアンライセンスアクセス無線周波数スペクトルにおけるＬＴＥ／ＬＴＥ−Ａを組み合わせる他の同様の動作モードまたは展開シナリオが存在し得る。
【００４２】
[0058]  上記で説明されたように、アンライセンスアクセス無線周波数スペクトルにおけるＬＴＥ／ＬＴＥ−Ａを使用することによって提供される容量オフロードから恩恵を受け得る１つのタイプのサービスプロバイダは、ＬＴＥ／ＬＴＥ−Ａライセンス無線周波数スペクトル帯域へのアクセス権を有する従来のＭＮＯである。これらのサービスプロバイダの場合、運用上の例は、ライセンス無線周波数スペクトル帯域上のＬＴＥ／ＬＴＥ−Ａ１次コンポーネントキャリア（ＰＣＣ：primary component carrier）と、アンライセンス無線周波数スペクトル帯域上の少なくとも１つの２次コンポーネントキャリア（ＳＣＣ：secondary component carrier）とを使用するブートストラップモード（たとえば、補助ダウンリンク、キャリアアグリゲーション）を含み得る。
【００４３】
[0059]  キャリアアグリゲーションモードでは、データおよび制御は、たとえば、（たとえば、第１の双方向リンク２２５、第３の双方向リンク２３５、および第５の双方向リンク２４５を介して）ライセンス無線周波数スペクトルにおいて通信され得るが、データは、たとえば、（たとえば、第２の双方向リンク２３０および第４の双方向リンク２４０を介して）アンライセンス無線周波数スペクトル帯域において通信され得る。アンライセンスアクセス無線周波数スペクトルを使用するときにサポートされるキャリアアグリゲーション機構は、ハイブリッド周波数分割複信−時分割複信（ＦＤＤ−ＴＤＤ）キャリアアグリゲーション、またはコンポーネントキャリアにわたって異なる対称性を伴うＴＤＤ−ＴＤＤキャリアアグリゲーションの範疇に入り得る。
【００４４】
[0060]  ワイヤレス通信システム２００におけるスタンドアロンモードの１つの例では、第２の基地局２０５−ａは、双方向リンク２５０を使用して第４のワイヤレスデバイス２１５−ｃにＯＦＤＭＡ波形を送信し得、双方向リンク２５０を使用して第４のワイヤレスデバイス２１５−ｃからＯＦＤＭＡ波形、ＳＣ−ＦＤＭＡ波形、および／またはリソースブロックインターリーブＦＤＭＡ波形を受信し得る。双方向リンク２５０は、アンライセンス無線周波数スペクトル帯域における周波数Ｆ３に関連付けられ得る。スタンドアロンモードは、スタジアム内アクセス（たとえば、ユニキャスト、マルチキャスト）などの非従来型ワイヤレスアクセスシナリオにおいて使用され得る。この動作モードのためのサービスプロバイダのタイプの一例は、ライセンス無線周波数スペクトル帯域へのアクセスを有しない、スタジアム所有者、ケーブル会社、イベント主催者、ホテル、企業、または大会社であり得る。
【００４５】
[0061]  いくつかの例では、図１および／または図２を参照しながら説明された基地局１０５、２０５、および／または２０５−ａのうちの１つ、ならびに／あるいは、図１および／または図２を参照しながら説明されたワイヤレスデバイス１１５、２１５、２１５−ａ、２１５−ｂ、および／または２１５−ｃのうちの１つなどの送信装置は、アンライセンス無線周波数スペクトル帯域のチャネルに（たとえば、アンライセンス無線周波数スペクトル帯域の物理チャネルに）アクセスするためにゲーティング間隔を使用し得る。ゲーティング間隔は、欧州電気通信標準化機構（ＥＴＳＩ）（ＥＮ３０１  ８９３）において指定されているＬＢＴプロトコルに少なくとも部分的に基づくＬＢＴプロトコルなどの競合ベースプロトコルの適用を定義し得る。ＬＢＴプロトコルの適用を定義するゲーティング間隔を使用するとき、ゲーティング間隔は、送信装置がクリアチャネルアセスメント（ＣＣＡ）などの競合手順をいつ実行する必要があるかを示し得る。ＣＣＡの結果は、アンライセンス無線周波数スペクトル帯域のチャネルが（ＬＢＴ無線フレームまたはＣＣＡフレームとも呼ばれる）ゲーティング間隔のために利用可能であるか使用中であるかを送信デバイスに示し得る。チャネルが対応するＬＢＴ無線フレームのために利用可能（たとえば、使用のために「クリア」）であることをＣＣＡが示すとき、送信装置は、ＬＢＴ無線フレームの一部または全部の間にアンライセンス無線周波数スペクトル帯域のチャネルを予約および／または使用し得る。チャネルが利用可能ではないこと（たとえば、チャネルが別の装置によって使用中であるか予約済みであること）をＣＣＡが示すとき、送信装置は、ＬＢＴ無線フレームの間にチャネルを使用することを妨げられ得る。
【００４６】
[0062]  場合によっては、送信装置が周期的にゲーティング間隔を生成し、周期的間隔の少なくとも１つの境界とゲーティング間隔の少なくとも１つの境界を同期させることが有用であり得る。たとえば、アンライセンス無線周波数スペクトル帯域におけるセルラーダウンリンクのための周期的なゲーティング間隔を生成し、セルラーダウンリンクに関連付けられた周期的間隔（たとえば、周期的ＬＴＥ／ＬＴＥ−Ａ無線間隔）の少なくとも１つの境界と周期的なゲーティング間隔の少なくとも１つの境界を同期させることが有用であり得る。そのような同期の例が図３に示されている。
【００４７】
[0063]  図３は、本開示の様々な態様による、アンライセンス無線周波数スペクトル帯域におけるセルラーダウンリンクのためのゲーティング間隔（またはＬＢＴ無線フレーム）の例３００を示す。第１のゲーティング間隔３０５、第２のゲーティング間隔３１５、および／または第３のゲーティング間隔３２５は、アンライセンス無線周波数スペクトル帯域を介した送信をサポートするｅＮＢまたはワイヤレスデバイスによって周期的なゲーティング間隔として使用され得る。そのようなｅＮＢの例は、図１および／または図２を参照しながら説明された基地局１０５、２０５、および／または２０５−ａを含み得、そのようなワイヤレスデバイスの例は、図１および／または図２を参照しながら説明されたワイヤレスデバイス１１５、２１５、２１５−ａ、２１５−ｂ、および／または２１５−ｃを含み得る。第１のゲーティング間隔３０５、第２のゲーティング間隔３１５、および／または第３のゲーティング間隔３２５は、いくつかの例では、図１および／または図２を参照しながら説明されたワイヤレス通信システム１００および／または２００とともに使用され得る。
【００４８】
[0064]  例として、第１のゲーティング間隔３０５の持続時間は、セルラーダウンリンクに関連付けられた周期的間隔のＬＴＥ／ＬＴＥ−Ａ無線フレーム３１０の持続時間に等しい（またはそれにほぼ等しい）ことが示されている。いくつかの例では、「ほぼ等しい」は、第１のゲーティング間隔３０５の持続時間が周期的間隔の持続時間のサイクリックプレフィックス（ＣＰ：cyclic prefix）持続時間内にあることを意味する。
【００４９】
[0065]  第１のゲーティング間隔３０５の少なくとも１つの境界は、ＬＴＥ／ＬＴＥ−Ａ無線フレームＮ−１〜Ｎ＋１を含む周期的間隔の少なくとも１つの境界と同期し得る。場合によっては、第１のゲーティング間隔３０５は、周期的間隔のフレーム境界と整合された境界を有し得る。他の場合には、第１のゲーティング間隔３０５は、周期的間隔のフレーム境界と同期しているが、それからオフセットされている境界を有し得る。たとえば、第１のゲーティング間隔３０５の境界は、周期的間隔のサブフレーム境界と整合されるか、または周期的間隔のサブフレーム中間点境界（たとえば、特定のサブフレームの中間点）と整合され得る。
【００５０】
[0066]  場合によっては、周期的間隔は、ＬＴＥ／ＬＴＥ−Ａ無線フレームＮ−１〜Ｎ＋１を含み得る。各ＬＴＥ／ＬＴＥ−Ａ無線フレーム３１０は、たとえば、１０ミリ秒の持続時間を有し得、第１のゲーティング間隔３０５も、１０ミリ秒の持続時間を有し得る。これらの場合、第１のゲーティング間隔３０５の境界は、ＬＴＥ／ＬＴＥ−Ａ無線フレームのうちの１つ（たとえば、ＬＴＥ／ＬＴＥ−Ａ無線フレーム（Ｎ））の境界（たとえば、フレーム境界、サブフレーム境界、またはサブフレーム中間点境界）と同期し得る。
【００５１】
[0067]  例として、第２のゲーティング間隔３１５および第３のゲーティング間隔３２５の持続時間は、セルラーダウンリンクに関連付けられた周期的間隔の持続時間の約数（またはそのほぼ約数）であることが示されている。いくつかの例では、「のほぼ約数」は、第２のゲーティング間隔３１５および／または第３のゲーティング間隔３２５の持続時間が周期的間隔の約数（たとえば、１／２または１／５）の持続時間のサイクリックプレフィックス（ＣＰ）持続時間内にあることを意味する。たとえば、第２のゲーティング間隔３１５は、５ミリ秒の持続時間を有し得、第３のゲーティング間隔３２５は、２ミリ秒の持続時間を有し得る。第２のゲーティング間隔３１５または第３のゲーティング間隔３２５は、そのより短い持続時間がアンライセンス無線周波数スペクトル帯域のより頻繁な共有を容易にし得るので、第１のゲーティング間隔３０５よりも有利であり得る。
【００５２】
[0068]  図４は、本開示の様々な態様による、アンライセンス無線周波数スペクトル帯域を介したワイヤレス通信４１０の例４００を示す。図３を参照しながら説明された第１のゲーティング間隔３０５などのゲーティング間隔に対応し得るＬＢＴ無線フレーム４１５は、１０ミリ秒の持続時間を有し、いくつかのダウンリンクサブフレーム４２０と、いくつかのアップリンクサブフレーム４２５と、２つのタイプのスペシャルサブフレーム、Ｓサブフレーム４３０およびＳ’サブフレーム４３５とを含み得る。Ｓサブフレーム４３０は、ダウンリンクサブフレーム４２０とアップリンクサブフレーム４２５との間の遷移を与え得るが、Ｓ’サブフレーム５３５は、アップリンクサブフレーム４２５とダウンリンクサブフレーム４２０との間の遷移を与え得る。Ｓ’サブフレーム４３５の間に、ダウンリンククリアチャネルアセスメント（ＤＣＣＡ：downlink clear channel assessment）手順４４０は、ワイヤレス通信４１０が行われるチャネルをある時間期間の間予約するために、図１および／または図２を参照しながら説明された基地局１０５、２０５、および／または２０５−ａのうちの１つまたは複数などの、１つまたは複数の基地局によって実行され得る。基地局によるＤＣＣＡ４４０の成功に続いて、基地局は、基地局がチャネルを予約したという指示を他の基地局および／または装置（たとえば、ワイヤレスデバイス、Ｗｉ−Ｆｉアクセスポイントなど）に提供するために、チャネル使用ビーコン信号（ＣＵＢＳ）４４５を送信し得る。ＣＵＢＳ４４５は、基地局による送信のためのチャネルだけではなく、そのＵＥによるアップリンク送信のためのチャネルも予約し得る。ＣＵＢＳ４４５はまた、基地局がデータをワイヤレスデバイスに送信する前に、ワイヤレスデバイスによる自動利得制御（ＡＧＣ）および追跡ループ更新のための信号を与え得る。いくつかの例では、ＣＵＢＳ４４５は、複数のインターリーブされたリソースブロック（resource block）を使用して送信され得る。このようにしてＣＵＢＳ４４５を送信することにより、ＣＵＢＳ４４５は、アンライセンス無線周波数スペクトル帯域中の利用可能な周波数帯域幅の少なくともある割合を占有し、１つまたは複数の規制上の要件（たとえば、ＣＵＢＳ４４５が、利用可能な周波数帯域幅の少なくとも８０％を占有するという要件）を満たすことが可能になり得る。ＣＵＢＳ４４５は、いくつかの例では、ＬＴＥ／ＬＴＥ−Ａセル固有基準信号（ＣＲＳ：cell-specific reference signal）、ＬＴＥ／ＬＴＥ−Ａプリアンブル、および／またはチャネル状態情報基準信号（ＣＳＩ−ＲＳ：channel state information reference signal）の形態と同様の形態をとり得る。ＤＣＣＡ４４０が失敗すると、ＣＵＢＳ４４５は送信されない。
【００５３】
[0069]  Ｓ’サブフレーム４３５は、図４において０〜１３の番号を付された、１４個のＯＦＤＭシンボルを含み得る。Ｓ’サブフレーム４３５の第１の部分、この例ではシンボル０〜５は、ＬＴＥ／ＬＴＥ−Ａ通信規格との互換性のために必要とされ得るサイレントＤＬ期間（silent DL period）として、基地局によって使用され得る。したがって、基地局は、サイレントＤＬ期間の間にデータを送信しないことがあるが、ワイヤレスデバイスは、サイレントＤＬ期間の間にある程度の量のアップリンクデータを送信し得る。Ｓ’サブフレーム４３５の第２の部分は、ＤＣＣＡ４４０のために使用され得る。例４００では、Ｓ’サブフレーム４３５は、シンボル６〜１２中に含まれる７つのＤＣＣＡスロットを含む。異なるネットワーク事業者によるＤＣＣＡスロットの使用は、より効率的なシステム動作を行うように協調され得る。いくつかの例では、ＤＣＣＡ４４０を実行するために７つの可能なＤＣＣＡスロットのうちのどれを使用すべきかを決定するために、基地局１０５は、以下の形式のマッピング関数を評価し得る。
【００５４】
【数１】
0006612265.tif 000002
【００５５】
ここで、ＧｒｏｕｐＩＤは、基地局１０５に割り当てられた「展開グループｉｄ」であり、ｔは、ＤＣＣＡ４４０が実行されるゲーティング間隔またはフレームに対応するＬＢＴ無線フレーム番号である。
【００５６】
[0070]  図５は、本開示の様々な態様による、アンライセンス無線周波数スペクトル帯域を介したワイヤレス通信５１０の例５００を示す。図３を参照しながら説明された第１のゲーティング間隔３０５などのゲーティング間隔に対応し得るＬＢＴ無線フレーム５１５、および／または図４を参照しながら説明されたＬＢＴ無線フレーム４１５は、１０ミリ秒の持続時間を有し、いくつかのダウンリンクサブフレーム５２０と、いくつかのアップリンクサブフレーム５２５と、２つのタイプのスペシャルサブフレーム（たとえば、Ｓサブフレーム５３０およびＳ’サブフレーム５３５とを含み得る。Ｓサブフレーム５３０は、ダウンリンクサブフレーム５２０とアップリンクサブフレーム５２５との間の遷移を与え得るが、Ｓ’サブフレーム５３５は、アップリンクサブフレーム５２５とダウンリンクサブフレーム５２０との間の遷移を与え得る。Ｓサブフレーム５３０の間に、アップリンクＣＣＡ（ＵＣＣＡ）手順５４０は、ワイヤレス通信５１０が行われるチャネルをある時間期間の間予約するために、図１および／または図２を参照しながら説明されたワイヤレスデバイス１１５、２１５、２１５−ａ、２１５−ｂ、および／または２１５−ｃのうちの１つまたは複数などの、１つまたは複数のワイヤレスデバイスによって実行され得る。ワイヤレスデバイスによるＵＣＣＡ５４０の成功に続いて、ワイヤレスデバイスは、ワイヤレスデバイスがチャネルを予約したという指示を他のワイヤレスデバイスおよび／または装置（たとえば、基地局、Ｗｉ−Ｆｉアクセスポイントなど）に提供するために、ＣＵＢＳ５４５を送信し得る。いくつかの例では、ＣＵＢＳ５４５は、複数のインターリーブされたリソースブロックを使用して送信され得る。このようにしてＣＵＢＳ５４５を送信することにより、ＣＵＢＳ５４５は、アンライセンス無線周波数スペクトル帯域中の利用可能な周波数帯域幅の少なくともある割合を占有し、１つまたは複数の規制上の要件（たとえば、ＣＵＢＳ５４５が、利用可能な周波数帯域幅の少なくとも８０％を占有するという要件）を満たすことが可能になり得る。ＣＵＢＳ５４５は、いくつかの例では、ＬＴＥ／ＬＴＥ−Ａセル固有基準信号（ＣＲＳ）および／またはチャネル状態情報基準信号（ＣＳＩ−ＲＳ）の形態と同様の形態をとり得る。ＵＣＣＡ５４０が失敗すると、ＣＵＢＳ５４５は送信されない。
【００５７】
[0071]  Ｓサブフレーム５３０は、図５において０〜１３の番号を付された、１４個のＯＦＤＭシンボルを含み得る。Ｓサブフレーム５３０の第１の部分、この例ではシンボル０〜３は、ダウンリンクパイロット時間スロット（ＤｗＰＴＳ：downlink pilot time slot）５５０として使用され得、Ｓサブフレーム５３０の第２の部分は、ガード期間（ＧＰ：guard period）５５５として使用され得る。Ｓサブフレーム５３０の第３の部分は、ＵＣＣＡ５４０のために使用され得る。例５００では、Ｓサブフレーム５３０は、シンボル６〜１２中に含まれる７つのＵＣＣＡスロットを含む。異なるワイヤレスデバイスによるＵＣＣＡスロットの使用は、より効率的なシステム動作を行うように協調され得る。いくつかの例では、ＵＣＣＡ５４０を実行するために７つの可能なＵＣＣＡスロットのうちのどれを使用すべきかを決定するために、ワイヤレスデバイスは、以下の形式のマッピング関数を評価し得る。
【００５８】
【数２】
0006612265.tif 000003
【００５９】
ここで、ＧｒｏｕｐＩＤは、ワイヤレスデバイスに割り当てられた「展開グループｉｄ」であり、ｔは、ＵＣＣＡ５４０が実行されるフレームに対応するＬＢＴ無線フレーム番号である。
【００６０】
[0072]  ＤＣＣＡ４４０および／またはＵＣＣＡ５４０のためのマッピング関数は、マッピング関数が直交化性質を有することになるか非直交化性質を有することになるかに応じて、異なる基準に少なくとも部分的に基づいて構成され得る。直交ＬＢＴアクセスを用いる例では、マッピング関数は、ｘ≠ｙが異なるグループｉｄを表すときはいつでも、すべての時間ｔについて、
【００６１】
【数３】
0006612265.tif 000004
【００６２】
による直交化性質を有し得る。この場合、異なるグループｉｄを有する基地局および／またはワイヤレスデバイスは、重複しないＣＣＡスロットの間にＣＣＡ（たとえば、ＤＣＣＡ４４０および／またはＵＣＣＡ５４０）を実行し得る。干渉がない場合、以前のＣＣＡスロットにマッピングするグループｉｄを有する基地局またはワイヤレスデバイスは、ある時間期間の間チャネルを確保し得る。様々な展開によれば、異なる時間インデックスｔにわたって、異なるグループｉｄが適切に長い時間間隔にわたって以前のＣＣＡスロットにマッピングする等しい機会を有する（したがって、他の干渉がない場合にチャネルを確保する）ように、マッピング｛ＦD/U（ｘ，ｔ），ｔ＝１，２，３，．．．｝が変化するという意味では、マッピング関数は公正である。
【００６３】
[0073]  同じネットワーク事業者／サービスプロバイダによって展開されるすべての基地局およびワイヤレスデバイスは、それらが競合プロセスにおいて互いをプリエンプト（preempt）しないように、同じグループｉｄを割り当てられ得る。これにより、同じ展開の基地局とワイヤレスデバイスとの間で完全な周波数再利用が可能になり、システムスループットの向上につながる。異なる展開の基地局および／またはワイヤレスデバイスは、直交ＣＣＡスロットマッピング（orthogonal CCA slot mapping）によって、チャネルへのアクセスが相互排他的になるように、異なるグループｉｄを割り当てられ得る。
【００６４】
[0074]  非直交ＣＣＡスロットアクセスまたは重複するＣＣＡスロットアクセスを用いる例では、マッピング関数は、８つ以上のグループｉｄを許容し得る。状況によっては、たとえば、８つ以上の展開グループｉｄをサポートすることは有用であり得、その場合、ＣＣＡスロットマッピング関数の直交性性質を維持することが可能ではない。そのような場合、任意の２つのグループｉｄ間の衝突の頻度を下げることが望ましいことがある。いくつかの例では、非直交ＣＣＡスロットマッピングシーケンス（non-orthogonal CCA slot mapping sequence）はまた、ＬＢＴ機会に関する緊密な協調なしに展開間で公正なチャネルアクセスを与えるために使用され得る。非直交ＣＣＡスロットマッピングシーケンスの１つの例は、以下によって与えられる。
【００６５】
【数４】
0006612265.tif 000005
【００６６】
ここで、Ｒ1,7（ｘ，ｔ）は、ＧｒｏｕｐＩＤ  ｘについて独立して選ばれる１と７との間の擬似乱数生成器である。この場合、同じＬＢＴ無線フレームｔにおける異なるＧｒｏｕｐＩＤの基地局および／またはワイヤレスデバイス間に潜在的な衝突があり得る。
【００６７】
[0075]  したがって、ＣＣＡスロットは、上記のマッピング関数に従って選択され、ＤＣＣＡ４４０および／またはＵＣＣＡ５４０のために使用され得る。
【００６８】
[0076]  いくつかの例では、ワイヤレス通信システムのダウンリンク送信および／またはアップリンク送信のために、電力制御（power control）が行われ得る。いくつかの例では、アンライセンス無線周波数スペクトル帯域を介した送信のために、電力制御が行われ得る。アンライセンス無線周波数スペクトル帯域を介したＬＴＥ／ＬＴＥ−Ａダウンリンク送信を含む、ＬＴＥ／ＬＴＥ−Ａダウンリンク送信の電力制御の場合、セルによるダウンリンク送信の総送信電力は、システム情報ブロック１（ＳＩＢ１：system information block one）においてブロードキャストされ得る。これは、ワイヤレスデバイスがパスロス測定（path loss measurement）を実行するのに役立ち得る。いくつかの例では、ダウンリンク送信における共通基準信号（ＣＲＳ：common reference signal）は電力ブーストされ得る。制御／データダウンリンク送信のための電力制御は、大部分が不特定であり、実装形態に委ねられる場合があるが、制御／データダウンリンク送信のための電力制御に対するいくつかの実際的な制限が存在し得る。たとえば、制御／データダウンリンク送信の電力ブーストは、しきい値（たとえば、６ｄＢ）以下に制限され得る。いくつかの例では、トラフィック対パイロット電力比（ＴＰＲ：traffic to pilot power ratio）は、ＣＲＳベースの物理ダウンリンク共有チャネル（ＰＤＳＣＨ：physical downlink shared channel）の高い変調次数（１６直交振幅変調（１６ＱＡＭ）以上）については固定であり得る。ＴＰＲは、復調基準信号（ＤＭ−ＲＳ：demodulation reference signal）ベースのＰＤＳＣＨについても固定であり得る。
【００６９】
[0077]  アンライセンス無線周波数スペクトル帯域を介したＬＴＥ／ＬＴＥ−Ａアップリンク送信を含む、ＬＴＥ／ＬＴＥ−Ａアップリンク送信の電力制御の場合、開ループ電力制御と閉ループ電力制御の両方がサポートされ得る。いくつかの例では、物理アップリンク共有チャネル（ＰＵＳＣＨ）電力制御および／またはサウンディング基準信号（ＳＲＳ）電力制御について、累積電力制御モードおよび／または絶対電力制御モードがサポートされ得る。ワイヤレスデバイスは、ＰＵＳＣＨ電力制御および／またはＳＲＳ電力制御についてどちらの電力制御モード（累積および／または絶対（accumulative and/or absolute））がワイヤレスデバイスによって使用されるべきかに関して、上位レイヤ上で構成され得る。いくつかの例では、構成可能な電力オフセットがＳＲＳ電力制御とＰＵＳＣＨ電力制御との間で与えられ得る。ＳＲＳ電力制御とＰＵＳＣＨ電力制御との間の帯域幅の差も与えられ得る。いくつかの例では、物理アップリンク制御チャネル（ＰＵＣＣＨ）電力制御について、累積電力モードのみがサポートされ得る。
【００７０】
[0078]  ＬＴＥ／ＬＴＥ−Ａネットワークでは、ダウンリンク送信および／またはアップリンク送信のための電力制御は、サブフレームごとに行われ得る。
【００７１】
[0079]  図６は、本開示の様々な態様による、基地局６０５（たとえば、ｅＮＢの一部または全部を形成する基地局）とワイヤレスデバイス６１５との間のメッセージフロー６００を示す。いくつかの例では、基地局６０５は、図１および／または図２を参照しながら説明された基地局１０５、２０５、および／または２０５−ａのうちの１つまたは複数の基地局の態様の一例であり得、ワイヤレスデバイス６１５は、図１および／または図２を参照しながら説明されたワイヤレスデバイス１１５、２１５、２１５−ａ、２１５−ｂ、および／または２１５−ｃのうちのワイヤレスデバイスの１つまたは複数の態様の一例であり得る。いくつかの例では、基地局６０５およびワイヤレスデバイス６１５は、アンライセンス無線周波数スペクトル帯域（たとえば、無線周波数スペクトル帯域がＷｉ−Ｆｉ用途などのアンライセンス用途のために少なくとも部分的に利用可能であるので、装置がアクセスを求めて競合する必要があり得る無線周波数スペクトル帯域）を介して補助ダウンリンクモード、キャリアアグリゲーションモード、および／またはスタンドアロンモードで通信するように構成され得る。
【００７２】
[0080]  いくつかの例では、メッセージフロー６００は、基地局６０５からワイヤレスデバイス６１５への、ワイヤレスデバイス６１５によるアップリンク送信のためのスケジューリング情報６２０の送信から開始し得る。いくつかの例では、受信されたスケジューリング情報６２０は、スケジュールされたアップリンク送信に割り振られた周波数トーンセットの指示を含み得る。いくつかの例では、周波数トーンセットは、リソースブロックまたはリソースブロックインターレースの形態で示され得る。リソースブロックインターフェースは、周波数領域における他のリソースブロックによって分離された複数のリソースブロックを含み得る。いくつかの例では、アップリンク送信のためのスケジューリング情報６２０は、同じくまたは代替的に、基地局６０５以外の基地局から受信され得る。いくつかの例では、アップリンク送信のためのスケジューリング情報６２０は、静的または半静的スケジュールに少なくとも部分的に基づき得、２つ以上のアップリンク送信をスケジュールするために使用され得る。いくつかの例では、スケジューリング情報６２０は、アンライセンス無線周波数スペクトル帯域を介して送信され得る。いくつかの例では、スケジューリング情報６２０は、ライセンス無線周波数スペクトル帯域を介して送信され得る。
【００７３】
[0081]  ブロック６２５において、ワイヤレスデバイス６１５は、アンライセンス無線周波数スペクトル帯域へのアクセスを求めて競合し得る。アンライセンス無線周波数スペクトル帯域へのアクセスを求めて競合することは、ＵＣＣＡを実行することを含み得る。ブロック６３０において、ワイヤレスデバイス６１５は、ＵＣＣＡが成功したかどうかを決定し得る（たとえば、ワイヤレスデバイス６１５は、アンライセンス無線周波数スペクトル帯域、またはそのチャネルが、アクセスのためにクリアであるかどうかを決定し得る）。
【００７４】
[0082]  ワイヤレスデバイス６１５がアンライセンス無線周波数スペクトル帯域へのアクセスを求めて競合するのに成功すると、ワイヤレスデバイス６１５は、ブロック６３５において、ＣＵＢＳを生成し得る。ＣＵＢＳの波形は、ワイヤレスデバイス６１５によるスケジュールされたアップリンク送信６４５に少なくとも部分的に基づき得る。いくつかの例では、ＣＵＢＳが基づくスケジュールされたアップリンク送信は、ＰＵＳＣＨ送信、ＰＵＣＣＨ送信、および／またはＳＲＳ送信を含み得る。いくつかの例では、ＣＵＢＳが基づくスケジュールされたアップリンク送信は、ＰＵＳＣＨ送信またはＰＵＣＣＨ送信のうちの少なくとも１つで多重化されたＳＲＳ送信を含み得る。
【００７５】
[0083]  いくつかの例では、ブロック６３５において生成されたＣＵＢＳの波形は、同じくまたは代替的に、ワイヤレスデバイス６１５の識別情報および／またはスケジュールされたアップリンク送信が最初にスケジュールされた送信期間の識別情報に少なくとも部分的に基づいて生成され得る。いくつかの例では、スケジュールされたアップリンク送信が最初にスケジュールされた送信期間は、ＬＢＴフレーム、基地局同期フレーム、またはサブフレームであり得、スケジュールされたアップリンク送信が最初にスケジュールされた送信期間の識別情報は、現在または前のＬＢＴフレーム、基地局同期フレーム、またはサブフレームであり得る。識別された送信期間は、たとえば、ワイヤレスデバイスが、スケジュールされたアップリンク送信が最初にスケジュールされた送信期間の間にアンライセンス無線周波数スペクトル帯域へのアクセスを求めて競合するのに成功できない、前の送信期間であり得る。
【００７６】
[0084]  いくつかの例では、ＣＵＢＳを生成することは、ＣＵＢＳの帯域幅とスケジュールされたアップリンク送信６４５の帯域幅を一致させることを含み得る。いくつかの例では、ＣＵＢＳの帯域幅とスケジュールされたアップリンク送信６４５の帯域幅を一致させることは、ＣＵＢＳの帯域幅とスケジュールされたアップリンク送信６４５に割り振られた周波数トーンセットを一致させることを含み得る。いくつかの例では、ＣＵＢＳの帯域幅とスケジュールされたアップリンク送信６４５の帯域幅を一致させることは、ＣＵＢＳに関連付けられたリソースブロックインターレースの数とスケジュールされたアップリンク送信６４５に関連付けられたリソースブロックインターレースの数を一致させることを含み得る。いくつかの例では、ＣＵＢＳの帯域幅とスケジュールされたアップリンク送信６４５の帯域幅を一致させることは、ＣＵＢＳを送信するために使用されるリソースブロックの総数とスケジュールされたアップリンク送信６４５に関連付けられたリソースブロックの総数を一致させることを含み得る。
【００７７】
[0085]  いくつかの例では、ＣＵＢＳを生成することは、ＣＵＢＳの送信電力とスケジュールされたアップリンク送信６４５の送信電力を一致させることを含み得る。
【００７８】
[0086]  いくつかの例では、ＣＵＢＳを生成することは、ＣＵＢＳ内にスケジュールされたアップリンク送信６４５の少なくとも一部分（たとえば、スケジュールされたアップリンク送信６４５のペイロード（payload）の少なくとも一部分）を複製することを含み得る。
【００７９】
[0087]  ブロック６４０において、ワイヤレスデバイス６１５は、スケジュールされたアップリンク送信６４５の前にアンライセンス無線周波数スペクトル帯域を占有するために、アンライセンス無線周波数スペクトル帯域を介してＣＵＢＳを送信し得る。
【００８０】
[0088]  いくつかの例では、ワイヤレスデバイス６１５は、第１のワイヤレスデバイスを含み得、スケジュールされたアップリンク送信は、送信期間の間の基地局６０５への複数のスケジュールされたアップリンク送信のうちの第１のスケジュールされたアップリンク送信を含み得る。複数のスケジュールされたアップリンク送信はまた、第２のワイヤレスデバイスによる第２のスケジュールされたアップリンク送信を含み得る。これらの例では、第１のスケジュールされたアップリンク送信は、第２のスケジュールされたアップリンク送信とは異なり得、したがって、第１のＣＵＢＳは、第２のスケジュールされたアップリンク送信の前にアンライセンス無線周波数スペクトル帯域を占有するために、アンライセンス無線周波数スペクトル帯域を介して送信される第２のＣＵＢＳとは異なり得る。
【００８１】
[0089]  いくつかの例では、スケジュールされたアップリンク送信は、第１のスケジュールされたアップリンク送信を含み得、ＣＵＢＳは、第１のＣＵＢＳを含み得る。これらの例では、ワイヤレスデバイス６１５は、第２のＣＵＢＳをさらに生成し得る。第２のＣＵＢＳの波形は、ワイヤレスデバイス６１５による第２のスケジュールされたアップリンク送信に少なくとも部分的に基づき得る。ワイヤレスデバイス６１５は、第２のスケジュールされたアップリンク送信の前にアンライセンス無線周波数スペクトル帯域を占有するために、アンライセンス無線周波数スペクトル帯域を介して第２のＣＵＢＳを送信し得る。
【００８２】
[0090]  例として、メッセージフロー６００は、ワイヤレスデバイス６１５による、スケジュールされたアップリンク送信６４５の送信で終了する。
【００８３】
[0091]  ワイヤレスデバイスが、アンライセンス無線周波数スペクトルへのアクセスを求めて競合するのに成功しなかったとき、ブロック６３５およびブロック６４０における動作は実行されないことがあり、スケジュールされたアップリンク送信６４５は行われないことがある。代替的に、ＣＵＢＳはブロック６３５において生成され得るが、ＣＵＢＳはブロック６４０において送信されないことがあり、スケジュールされたアップリンク送信６４５は行われないことがある。
【００８４】
[0092]  いくつかの例では、基地局６０５は、ワイヤレスデバイス６１５などの複数のワイヤレスデバイスにスケジューリング情報を提供し得る。そのような例では、基地局６０５は、複数のワイヤレスデバイスのうちのどれがアンライセンス無線周波数スペクトル帯域へのアクセスを求めて競合するのに成功したかを決定するために、複数のワイヤレスデバイスの各々からのＣＵＢＳを監視し得る。ワイヤレスデバイスのうちの異なる複数が、異なる時に、時として異なるＬＢＴ無線フレームにおいて、アンライセンス無線周波数スペクトル帯域へのアクセスを求めて競合するのに成功することがあるので、基地局６０５は、延長された時間期間にわたってファー（fur）ＣＵＢＳを監視し得る。いくつかの例では、ワイヤレスデバイスは、ＣＵＢＳにおいて、前のフレームまたは現在のフレームの間に後続のアップリンク送信が送信のためにスケジュールされたかどうかを示し得る。
【００８５】
[0093]  一般に、ＣＵＢＳは、ＬＢＴ無線フレーム、基地局（もしくはｅＮＢ）同期フレーム、および／またはサブフレームの間にアンライセンス無線周波数スペクトル帯域へのアクセスを求めて競合するために、ワイヤレスデバイス６１５などのワイヤレスデバイスによって送信され、したがって、ＬＢＴ無線フレーム、基地局（もしくはｅＮＢ）同期フレーム、および／またはサブフレーム．に応じて生成され得る。
【００８６】
[0094]  次に、ＰＵＣＣＨ送信および／またはＰＵＳＣＨ送信を含む、スケジュールされたアップリンク送信を参照すると、従来のＬＴＥ／ＬＴＥ−Ａ  ＰＵＣＣＨ送信および／またはＰＵＳＣＨ送信は、周波数領域における１つのリソースブロックのみ（たとえば、無線周波数スペクトル帯域内の連続した周波数トーンの小さいサブセットのみ）を占有し得る。ただし、アンライセンス無線周波数スペクトル帯域におけるいくつかの通信（たとえば、アンライセンス無線周波数スペクトル帯域におけるＬＴＥ／ＬＴＥ−Ａ通信）が、アンライセンス無線周波数スペクトル帯域中の利用可能な周波数帯域幅の少なくともある割合（たとえば、利用可能な周波数帯域幅の少なくとも８０％）を占有するという要件があり得る。そのような要件を満たすために、ＰＵＣＣＨ送信および／またはＰＵＳＣＨ送信は、いくつかの例では、１つのリソースブロックインターレースが複数のリソースブロックを含む、周波数領域における１つまたは複数のリソースブロックインターレースを介して送信され得る。いくつかの例では、アンライセンス無線周波数スペクトル帯域は１０個のリソースブロックインターレースに分割され得、各リソースブロックインターレースは、１０個のリソースブロックを含む。リソースブロックおよびリソースブロックインターレースのそのような構成を用いて、ＰＵＣＣＨ送信および／またはＰＵＳＣＨ送信は、いくつかの例では、リソースブロックインターレースのうちの１つまたは複数（たとえば、１０個の離間したリソースブロックの１つまたは複数のセット）の上でスケジュールされ得る。
【００８７】
[0095]  図７は、本開示の様々な態様による、アンライセンス無線周波数スペクトル帯域を介したＣＵＢＳ７２０およびＰＵＳＣＨ送信７０５の例示的な送信７００を示す。例として、図７は、アンライセンス無線周波数スペクトル帯域におけるリソースブロック７１０のサブセットのみを示し得る。いくつかの例では、アンライセンス無線周波数スペクトル帯域は、１００個のリソースブロック７１０を含み得る。図７は、３０個のリソースブロックのみを示す。他の例では、アンライセンス無線周波数スペクトル帯域は、任意の数のリソースブロックを含み得る。各リソースブロックは、１つまたは複数の周波数トーン（frequency tone）を含み得る。また、例として、図７は、ＣＵＢＳ７２０の１つのＯＦＤＭシンボル期間と、ＰＵＳＣＨ送信７０５の１つのサブフレームとを示す。他の例では、ＣＵＢＳ７２０は、複数のＯＦＤＭシンボル期間および／またはフラクショナルＯＦＤＭシンボル期間を介して送信され得、ＰＵＳＣＨ送信７０５は、複数のサブフレーム、ＯＦＤＭシンボル期間、および／またはフラクショナルＯＦＤＭシンボル期間を介して送信され得る。
【００８８】
[0096]  ＰＵＳＣＨ送信７０５は、いくつかの例では、１つまたは複数のリソースブロックインターレース（たとえば、第１のリソースブロック７１５−ａと、第２のリソースブロック７１５−ｂと、第３のリソースブロック７１５−ｃとを含む第１のリソースブロックインターレース７１５、第１のリソースブロック７２５−ａと、第２のリソースブロック７２５−ｂと、第３のリソースブロック７２５−ｃとを含む第２のリソースブロックインターレース７２５、および／または、第１のリソースブロック７３０−ａと、第２のリソースブロック７３０−ｂと、第３のリソースブロック７３０−ｃとを含む第３のリソースブロックインターレース７３０）上でスケジュールされ得る。ＰＵＳＣＨ送信７０５は先立って（たとえば、いくつかの例では、４ｍｓ先立って）スケジュールされるので、ＣＵＢＳ７２０は、ＰＵＳＣＨ送信７０５に少なくとも部分的に基づいて生成され得る。たとえば、ＣＵＢＳ７２０の帯域幅は、ＰＵＳＣＨ送信７０５の帯域幅に一致し得る。いくつかの例では、ＣＵＢＳ７２０の帯域幅とＰＵＳＣＨ送信７０５の帯域幅を一致させることは、ＣＵＢＳ７２０の帯域幅とＰＵＳＣＨ送信７０５に割り振られた周波数トーンセット（たとえば、リソースブロックインターレース７１５、７２５、および７３０）を一致させることを含み得る。
【００８９】
[0097]  いくつかの例では、ＣＵＢＳ７２０は、同じくまたは代替的に、ＣＵＢＳ７２０の送信電力とＰＵＳＣＨ送信７０５の送信電力を一致させることによって生成され得る。
【００９０】
[0098]  いくつかの例では、ＣＵＢＳ７２０は、同じくまたは代替的に、ＣＵＢＳ７２０内にＰＵＳＣＨ送信７０５の少なくとも一部分（たとえば、ＰＵＳＣＨ送信７０５のペイロードの少なくとも一部分）を複製することによって生成され得る。ＰＵＳＣＨ送信７０５のペイロードを複製することは、基地局における受信機が、ＣＵＢＳ７２０をＰＵＳＣＨ送信７０５と組み合わせることを可能にし得る。
【００９１】
[0099]  図８は、本開示の様々な態様による、アンライセンス無線周波数スペクトル帯域を介したＣＵＢＳ８２０およびＰＵＣＣＨ送信８０５の例示的な送信８００を示す。例として、図８は、アンライセンス無線周波数スペクトル帯域におけるリソースブロック８１０のサブセットのみを示し得る。いくつかの例では、アンライセンス無線周波数スペクトル帯域は、１００個のリソースブロック８１０を含み得る。図８は、３０個のリソースブロックのみを示す。他の例では、アンライセンス無線周波数スペクトル帯域は、任意の数のリソースブロックを含み得る。各リソースブロックは、１つまたは複数の周波数トーンを含み得る。また、例として、図８は、ＣＵＢＳ８２０の１つのＯＦＤＭシンボル期間と、ＰＵＣＣＨ送信８０５の１つのサブフレームとを示す。他の例では、ＣＵＢＳ８２０は、複数のＯＦＤＭシンボル期間および／またはフラクショナルＯＦＤＭシンボル期間を介して送信され得、ＰＵＣＣＨ送信８０５は、複数のサブフレーム、ＯＦＤＭシンボル期間、および／またはフラクショナルＯＦＤＭシンボル期間を介して送信され得る。
【００９２】
[0100]  ＰＵＣＣＨ送信８０５は、いくつかの例では、所定のリソースブロック割振りを有し得る。たとえば、周期的なチャネル状態情報（ＣＳＩ：channel state information）送信および／または非周期的なＣＳＩ送信に関連付けられたＰＵＣＣＨ送信は、ＰＵＣＣＨ送信に先立って構成／トリガされ得る。同様に、スケジュールされた肯定応答（ＡＣＫ）を有するＰＵＣＣＨ送信は、ＰＵＣＣＨ送信に先立って構成／トリガされ得る。図８に示されるように、ＰＵＣＣＨ送信８０５は、第１のリソースブロック８１５−ａ、第２のリソースブロック８１５−ｂ、および第３のリソースブロック８１５−ｃなどの複数のリソースブロックを含むリソースブロックインターレース８１５上でスケジュールされ得る。ＰＵＣＣＨ送信８０５が先立って構成／トリガされるので、ＣＵＢＳ８２０は、ＰＵＣＣＨ送信８０５に少なくとも部分的に基づいて生成され得る。たとえば、ＣＵＢＳ８２０の帯域幅は、ＰＵＣＣＨ送信８０５の帯域幅に一致し得る。いくつかの例では、ＣＵＢＳ８２０の帯域幅とＰＵＣＣＨ送信８０５の帯域幅を一致させることは、ＣＵＢＳ８２０の帯域幅とＰＵＣＣＨ送信８０５に割り振られた周波数トーンセット（たとえば、リソースブロックインターレース８１５）を一致させることを含み得る。
【００９３】
[0101]  いくつかの例では、ＣＵＢＳ８２０は、同じくまたは代替的に、ＣＵＢＳ８２０の送信電力とＰＵＣＣＨ送信８０５の送信電力を一致させることによって生成され得る。
【００９４】
[0102]  いくつかの例では、ＣＵＢＳ８２０は、同じくまたは代替的に、ＣＵＢＳ８２０内にＰＵＣＣＨ送信８０５の少なくとも一部分（たとえば、ＰＵＣＣＨ送信８０５のペイロードの少なくとも一部分）を複製することによって生成され得る。ＰＵＣＣＨ送信８０５のペイロードを複製することは、基地局における受信機が、ＣＵＢＳ８２０をＰＵＣＣＨ送信８０５と組み合わせることを可能にし得る。
【００９５】
[0103]  図９は、本開示の様々な態様による、アンライセンス無線周波数スペクトル帯域を介したＣＵＢＳ９２０およびＳＲＳ送信９０５の例示的な送信９００を示す。例として、図９は、アンライセンス無線周波数スペクトル帯域におけるリソースブロック９１０のサブセットのみを示し得る。いくつかの例では、アンライセンス無線周波数スペクトル帯域は、１００個のリソースブロック９１０を含み得る。図９は、３０個のリソースブロックのみを示す。他の例では、アンライセンス無線周波数スペクトル帯域は、任意の数のリソースブロックを含み得る。各リソースブロックは、１つまたは複数の周波数トーンを含み得る。また、例として、図９は、ＣＵＢＳ９２０の１つのＯＦＤＭシンボル期間と、ＳＲＳ送信９０５の１つのサブフレームとを示す。他の例では、ＣＵＢＳ９２０は、複数のＯＦＤＭシンボル期間および／またはフラクショナルＯＦＤＭシンボル期間を介して送信され得、ＳＲＳ送信９０５は、複数のサブフレーム、ＯＦＤＭシンボル期間、および／またはフラクショナルＯＦＤＭシンボル期間を介して送信され得る。
【００９６】
[0104]  ＳＲＳ送信９０５は、いくつかの例では、所定のリソースブロック割振りを有し得る。たとえば、周期的なＳＲＳ送信または非周期的なＳＲＳ送信は、ＳＲＳ送信に先立って構成／トリガされ得る。図９に示されるように、ＳＲＳ送信９０５は、第１のリソースブロック９１５−ａと、第２のリソースブロック９１５−ｂと、第３のリソースブロック９１５−ｃとを含む様々なリソースブロック９１５上でスケジュールされ得る。ＳＲＳ送信９０５が先立って構成／トリガされるので、ＣＵＢＳ９２０は、ＳＲＳ送信９０５に少なくとも部分的に基づいて生成され得る。たとえば、ＣＵＢＳ９２０の帯域幅は、ＳＲＳ送信９０５の帯域幅に一致し得る。いくつかの例では、ＣＵＢＳ９２０の帯域幅とＳＲＳ送信９０５の帯域幅を一致させることは、ＣＵＢＳ９２０の帯域幅とＳＲＳ送信９０５に割り振られた周波数トーンセットを一致させることを含み得る。
【００９７】
[0105]  いくつかの例では、ＣＵＢＳ９２０は、同じくまたは代替的に、ＣＵＢＳ９２０の送信電力とＳＲＳ送信９０５の送信電力を一致させることによって生成され得る。
【００９８】
[0106]  いくつかの例では、スケジュールされたアップリンク送信は、２つ以上のタイプのアップリンク送信を含み得る。たとえば、スケジュールされたアップリンク送信は、ＳＲＳ送信と、ＰＵＳＣＨ送信またはＰＵＣＣＨ送信のうちの少なくとも１つとを含み得る。いくつかの例では、ＰＵＳＣＨ送信またはＰＵＣＣＨ送信のうちの少なくとも１つは、ＳＲＳ送信で多重化され得る。これらの例では、ＣＵＢＳの波形は、ＳＲＳ送信に割り振られた組み合わされた周波数トーンセットとＰＵＳＣＨ送信またはＰＵＣＣＨ送信のうちの少なくとも１つとに少なくとも部分的に基づいて生成され得る。
【００９９】
[0107]  他の例では、ＳＲＳ送信は、ＰＵＳＣＨ送信またはＰＵＣＣＨ送信のうちの少なくとも１つとは異なるＯＦＤＭシンボル上の送信についてスケジュールされ得る。これらの例では、ＣＵＢＳの波形は、ＰＵＳＣＨ送信またはＰＵＣＣＨ送信に割り振られた周波数トーンセットに少なくとも部分的に基づいて生成され得る。また、ＳＲＳ送信の電力関連パラメータ（power-related parameter）は、ＰＵＳＣＨ送信またはＰＵＣＣＨ送信のうちの少なくとも１つの電力関連パラメータに一致し得る。いくつかの例では、ＳＲＳ送信の電力関連パラメータとＰＵＳＣＨ送信またはＰＵＣＣＨ送信のうちの少なくとも１つの電力関連パラメータを一致させることは、ＳＲＳ送信の総送信電力とＰＵＳＣＨ送信またはＰＵＣＣＨ送信のうちの少なくとも１つの総送信電力を一致させることを含み得る。いくつかの例では、ＳＲＳ送信の電力関連パラメータとＰＵＳＣＨ送信またはＰＵＣＣＨ送信のうちの少なくとも１つの電力関連パラメータを一致させることは、ＳＲＳ送信の電力スペクトル密度とＰＵＳＣＨ送信またはＰＵＣＣＨ送信のうちの少なくとも１つの電力スペクトル密度を一致させることを含み得る。いくつかの例では、ＳＲＳ送信は、スケジュールされたアップリンク送信の最終シンボルとして送信され得る。
【０１００】
[0108]  図１０は、本開示の様々な態様による、ワイヤレス通信において使用するための装置１００５のブロック図１０００を示す。いくつかの例では、装置１００５は、図１、図２、および／または図６を参照しながら説明されたワイヤレスデバイス１１５、２１５、２１５−ａ、２１５−ｂ、２１５−ｃ、および／または６１５のうちの１つまたは複数のワイヤレスデバイスの態様の一例であり得る。装置１００５はまた、プロセッサであり得る。装置１００５は、受信機モジュール１０１０、ワイヤレス通信管理モジュール（wireless communication management module）１０２０、および／または送信機モジュール１０３０を含み得る。これらの構成要素の各々は、互いと通信していることがある。
【０１０１】
[0109]  装置１００５の構成要素は、個々にまたはまとめて、ハードウェアにおいて適用可能な機能の一部または全部を実行するように適応された１つまたは複数の特定用途向け集積回路（ＡＳＩＣ）を使用して実装され得る。代替的に、機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、メモリにおいて具現化され、１つまたは複数の汎用または特定用途向けプロセッサによって実行されるようにフォーマットされた、命令を用いて実装され得る。
【０１０２】
[0110]  いくつかの例では、受信機モジュール１０１０は、ライセンス無線周波数スペクトル帯域（licensed radio frequency spectrum band）（たとえば、ＬＴＥ／ＬＴＥ−Ａ通信に使用できるライセンス無線周波数スペクトル帯域など、無線周波数スペクトル帯域が特定の用途のために特定のユーザに認可されているので、装置がアクセスを求めて競合しない無線周波数スペクトル帯域）および／またはアンライセンス無線周波数スペクトル帯域（たとえば、無線周波数スペクトル帯域が、Ｗｉ−Ｆｉ用途など、アンライセンス用途のために少なくとも部分的に利用可能であるので、装置がアクセスを求めて競合する必要があり得る無線周波数スペクトル帯域）を介して送信を受信するように動作可能な少なくとも１つの無線周波数（ＲＦ）受信機などの、少なくとも１つのＲＦ受信機を含み得る。いくつかの例では、ライセンス無線周波数スペクトル帯域および／またはアンライセンス無線周波数スペクトル帯域は、たとえば、図１、図２、図３、図４、図５、図６、図７、図８、および／または図９を参照しながら説明されたように、ＬＴＥ／ＬＴＥ−Ａ通信のために使用され得る。受信機モジュール１０１０は、図１および／または図２を参照しながら説明されたワイヤレス通信システム１００および／または２００の１つまたは複数の通信リンクなど、ワイヤレス通信システムの１つまたは複数の通信リンクを介して様々なタイプのデータおよび／または制御信号（すなわち、送信）を受信するために使用され得る。通信リンクは、ライセンス無線周波数スペクトル帯域および／またはアンライセンス無線周波数スペクトル帯域を介して確立され得る。
【０１０３】
[0111]  いくつかの例では、送信機モジュール１０３０は、ライセンス無線周波数スペクトル帯域および／またはアンライセンス無線周波数スペクトル帯域を介して送信するように動作可能な少なくとも１つのＲＦ送信機など、少なくとも１つのＲＦ送信機を含み得る。送信機モジュール１０３０は、図１および／または図２を参照しながら説明されたワイヤレス通信システム１００および／または２００の１つまたは複数の通信リンクなど、ワイヤレス通信システムの１つまたは複数の通信リンクを介して様々なタイプのデータおよび／または制御信号（すなわち、送信）を送信するために使用され得る。通信リンクは、ライセンス無線周波数スペクトル帯域および／またはアンライセンス無線周波数スペクトル帯域を介して確立され得る。
【０１０４】
[0112]  いくつかの例では、ワイヤレス通信管理モジュール１０２０は、装置１００５のためのワイヤレス通信の１つまたは複数の態様を管理するために使用され得る。いくつかの例では、ワイヤレス通信管理モジュール１０２０は、ＣＵＢＳ生成モジュール１０３５および／またはＣＵＢＳ送信管理モジュール１０４０を含み得る。これらの構成要素の各々は、互いと通信していることがある。
【０１０５】
[0113]  いくつかの例では、ＣＵＢＳ生成モジュール１０３５は、ＣＵＢＳを生成するために使用され得る。ＣＵＢＳ生成モジュール１０３５は、装置１００５によるスケジュールされたアップリンク送信に少なくとも部分的に基づいて、ＣＵＢＳの波形を生成し得る。いくつかの例では、スケジュールされたアップリンク送信は、ＰＵＳＣＨ送信、ＰＵＣＣＨ送信、および／またはＳＲＳ送信を含み得る。いくつかの例では、スケジュールされたアップリンク送信は、ＰＵＳＣＨ送信またはＰＵＣＣＨ送信のうちの少なくとも１つで多重化されたＳＲＳ送信を含み得る。
【０１０６】
[0114]  いくつかの例では、ＣＵＢＳ生成モジュール１０３５によって生成されたＣＵＢＳの波形は、同じくまたは代替的に、装置１００５の識別情報および／またはスケジュールされたアップリンク送信が最初にスケジュールされた送信期間の識別情報に少なくとも部分的に基づいて生成され得る。いくつかの例では、スケジュールされたアップリンク送信が最初にスケジュールされた送信期間は、ＬＢＴフレーム、基地局同期フレーム、またはサブフレームであり得、スケジュールされたアップリンク送信が最初にスケジュールされた送信期間の識別情報は、現在または前のＬＢＴフレーム、基地局同期フレーム、またはサブフレームであり得る。識別された送信期間は、たとえば、装置１００５が、スケジュールされたアップリンク送信が最初にスケジュールされた送信期間の間にアンライセンス無線周波数スペクトル帯域へのアクセスを求めて競合するのに成功できない、前の送信期間であり得る。
【０１０７】
[0115]  いくつかの例では、ＣＵＢＳ送信管理モジュール１０４０は、スケジュールされたアップリンク送信の前にアンライセンス無線周波数スペクトル帯域を占有するために、アンライセンス無線周波数スペクトル帯域を介してＣＵＢＳを送信するために使用され得る。
【０１０８】
[0116]  いくつかの例では、装置１００５は、第１のワイヤレスデバイスを含み得、スケジュールされたアップリンク送信は、送信期間の間の基地局への複数のスケジュールされたアップリンク送信のうちの第１のスケジュールされたアップリンク送信を含み得る。複数のスケジュールされたアップリンク送信はまた、第２のワイヤレスデバイスによる第２のスケジュールされたアップリンク送信を含み得る。これらの例では、第１のスケジュールされたアップリンク送信は、第２のスケジュールされたアップリンク送信とは異なり得、したがって、第１のＣＵＢＳは、第２のスケジュールされたアップリンク送信の前にアンライセンス無線周波数スペクトル帯域を占有するために、アンライセンス無線周波数スペクトル帯域を介して送信される第２のＣＵＢＳとは異なり得る。
【０１０９】
[0117]  いくつかの例では、スケジュールされたアップリンク送信は、第１のスケジュールされたアップリンク送信を含み得、ＣＵＢＳは、第１のＣＵＢＳを含み得る。これらの例では、ＣＵＢＳ生成モジュール１０３５は、第２のＣＵＢＳを生成するために使用され得る。第２のＣＵＢＳの波形は、装置１００５による第２のスケジュールされたアップリンク送信に少なくとも部分的に基づき得る。ＣＵＢＳ送信管理モジュール１０４０は、第２のスケジュールされたアップリンク送信の前にアンライセンス無線周波数スペクトル帯域を占有するために、アンライセンス無線周波数スペクトル帯域を介して第２のＣＵＢＳを送信するために使用され得る。
【０１１０】
[0118]  図１１は、本開示の様々な態様による、ワイヤレス通信において使用するための装置１１０５のブロック図１１００を示す。いくつかの例では、装置１１０５は、図１、図２、および／または図６を参照しながら説明されたワイヤレスデバイス１１５、２１５、２１５−ａ、２１５−ｂ、２１５−ｃ、および／または６１５のうちの１つまたは複数のワイヤレスデバイスの態様、ならびに／あるいは、図１０を参照しながら説明された装置１００５の態様の一例であり得る。装置１１０５はまた、プロセッサであり得る。装置１１０５は、受信機モジュール１１１０、ワイヤレス通信管理モジュール１１２０、および／または送信機モジュール１１３０を含み得る。これらの構成要素の各々は、互いと通信していることがある。
【０１１１】
[0119]  装置１１０５の構成要素は、個々にまたはまとめて、ハードウェアにおいて適用可能な機能の一部または全部を実行するように適応された１つまたは複数のＡＳＩＣを使用して実装され得る。代替的に、機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、メモリにおいて具現化され、１つまたは複数の汎用または特定用途向けプロセッサによって実行されるようにフォーマットされた、命令を用いて実装され得る。
【０１１２】
[0120]  いくつかの例では、受信機モジュール１１１０は、図１０を参照しながら説明された受信機モジュール１０１０の１つまたは複数の態様の一例であり得る。いくつかの例では、受信機モジュール１１１０は、ライセンス無線周波数スペクトル帯域（たとえば、ＬＴＥ／ＬＴＥ−Ａ通信に使用できるライセンス無線周波数スペクトル帯域など、無線周波数スペクトル帯域が特定の用途のために特定のユーザに認可されているので、装置がアクセスを求めて競合しない無線周波数スペクトル帯域）および／またはアンライセンス無線周波数スペクトル帯域（たとえば、無線周波数スペクトル帯域が、Ｗｉ−Ｆｉ用途など、アンライセンス用途のために少なくとも部分的に利用可能であるので、装置がアクセスを求めて競合する必要があり得る無線周波数スペクトル帯域）を介して送信を受信するように動作可能な少なくとも１つのＲＦ受信機などの、少なくとも１つのＲＦ受信機を含み得る。いくつかの例では、ライセンス無線周波数スペクトル帯域および／またはアンライセンス無線周波数スペクトル帯域は、たとえば、図１、図２、図３、図４、図５、図６、図７、図８、および／または図９を参照しながら説明されたように、ＬＴＥ／ＬＴＥ−Ａ通信のために使用され得る。受信機モジュール１１１０は、場合によっては、ライセンス無線周波数スペクトル帯域およびアンライセンス無線周波数スペクトル帯域のための別個の受信機を含み得る。別個の受信機は、いくつかの例では、ライセンス無線周波数スペクトル帯域を介して通信するためのライセンス無線周波数スペクトル帯域用ＬＴＥ／ＬＴＥ−Ａ受信機モジュール１１１２、およびアンライセンス無線周波数スペクトル帯域を介して通信するためのアンライセンス無線周波数スペクトル帯域用ＬＴＥ／ＬＴＥ−Ａ受信機モジュール１１１４の形態をとり得る。受信機モジュール１１１０はまた、他の無線周波数スペクトル帯域を介して通信するためのおよび／または他の無線アクセス技術（たとえば、Ｗｉ−Ｆｉ）を介して通信するための受信機モジュールを含み得る。ライセンス無線周波数スペクトル帯域用ＬＴＥ／ＬＴＥ−Ａ受信機モジュール１１１２と、アンライセンス無線周波数スペクトル帯域用ＬＴＥ／ＬＴＥ−Ａ受信機モジュール１１１４とを含む、受信機モジュール１１１０は、図１および／または図２を参照しながら説明されたワイヤレス通信システム１００および／または２００の１つまたは複数の通信リンクなど、ワイヤレス通信システムの１つまたは複数の通信リンクを介して様々なタイプのデータおよび／または制御信号（すなわち、送信）を受信するために使用され得る。通信リンクは、ライセンス無線周波数スペクトル帯域および／またはアンライセンス無線周波数スペクトル帯域を介して確立され得る。
【０１１３】
[0121]  いくつかの例では、送信機モジュール１１３０は、ライセンス無線周波数スペクトル帯域および／またはアンライセンス無線周波数スペクトル帯域を介して送信するように動作可能な少なくとも１つのＲＦ送信機など、少なくとも１つのＲＦ送信機を含み得る。送信機モジュール１１３０は、場合によっては、ライセンス無線周波数スペクトル帯域およびアンライセンス無線周波数スペクトル帯域のための別個の送信機を含み得る。別個の送信機は、いくつかの例では、ライセンス無線周波数スペクトル帯域を介して通信するためのライセンス無線周波数スペクトル帯域用ＬＴＥ／ＬＴＥ−Ａ送信機モジュール１１３２、およびアンライセンス無線周波数スペクトル帯域を介して通信するためのアンライセンス無線周波数スペクトル帯域用ＬＴＥ／ＬＴＥ−Ａ送信機モジュール１１３４の形態をとり得る。送信機モジュール１１３０はまた、他の無線周波数スペクトル帯域を介して通信するためのおよび／または他の無線アクセス技術（たとえば、Ｗｉ−Ｆｉ）を介して通信するための送信機モジュールを含み得る。ライセンス無線周波数スペクトル帯域用ＬＴＥ／ＬＴＥ−Ａ送信機モジュール１１３２と、アンライセンス無線周波数スペクトル帯域用ＬＴＥ／ＬＴＥ−Ａ送信機モジュール１１３４とを含む、送信機モジュール１１３０は、図１および／または図２を参照しながら説明されたワイヤレス通信システム１００および／または２００の１つまたは複数の通信リンクなど、ワイヤレス通信システムの１つまたは複数の通信リンクを介して様々なタイプのデータおよび／または制御信号（すなわち、送信）を送信するために使用され得る。通信リンクは、ライセンス無線周波数スペクトル帯域および／またはアンライセンス無線周波数スペクトル帯域を介して確立され得る。
【０１１４】
[0122]  いくつかの例では、ワイヤレス通信管理モジュール１１２０は、装置１１０５のためのワイヤレス通信の１つまたは複数の態様を管理するために使用され得る。いくつかの例では、ワイヤレス通信管理モジュール１１２０は、図１０を参照しながら説明されたワイヤレス通信管理モジュール１０２０の１つまたは複数の態様の一例であり得る。いくつかの例では、ワイヤレス通信管理モジュール１１２０は、スケジュールされたアップリンク送信分析モジュール１１２５、ＣＵＢＳ生成モジュール１１３５、ＣＵＢＳ送信管理モジュール１１４０、および／またはＳＲＳ管理モジュール１１４５を含み得る。これらの構成要素の各々は、互いと通信していることがある。
【０１１５】
[0123]  いくつかの例では、スケジュールされたアップリンク送信分析モジュール１１２５は、装置１１０５によるスケジュールされたアップリンク送信に割り振られた周波数トーンセットを決定するために使用され得る。いくつかの例では、スケジュールされたアップリンク送信は、ＰＵＳＣＨ送信、ＰＵＣＣＨ送信、および／またはＳＲＳ送信を含み得る。いくつかの例では、スケジュールされたアップリンク送信は、ＰＵＳＣＨ送信またはＰＵＣＣＨ送信のうちの少なくとも１つで多重化されたＳＲＳ送信を含み得る。
【０１１６】
[0124]  いくつかの例では、スケジュールされたアップリンク送信に割り振られた周波数トーンセットを決定することは、スケジュールされたアップリンク送信に関連付けられた静的または半静的スケジュールに少なくとも部分的に基づいて、スケジュールされたアップリンク送信に割り振られた周波数トーンセットを決定することを含み得る。いくつかの例では、スケジュールされたアップリンク送信に割り振られた周波数トーンセットを決定することは、スケジュールされたアップリンク送信に割り振られた周波数トーンセットの指示を基地局から受信することを含み得る。
【０１１７】
[0125]  いくつかの例では、ＣＵＢＳ生成モジュール１１３５は、図１０を参照しながら説明されたＣＵＢＳ生成モジュール１０３５の１つまたは複数の態様の一例であり得る。いくつかの例では、ＣＵＢＳ生成モジュール１１３５は、ＣＵＢＳを生成するために使用され得る。ＣＵＢＳ生成モジュール１１３５は、装置１１０５によるスケジュールされたアップリンク送信に少なくとも部分的に基づいて、ＣＵＢＳの波形を生成し得る。いくつかの例では、スケジュールされたアップリンク送信は、ＰＵＳＣＨ送信、ＰＵＣＣＨ送信、および／またはＳＲＳ送信を含み得る。いくつかの例では、スケジュールされたアップリンク送信は、ＰＵＳＣＨ送信またはＰＵＣＣＨ送信のうちの少なくとも１つで多重化されたＳＲＳ送信を含み得る。
【０１１８】
[0126]  いくつかの例では、ＣＵＢＳ送信管理モジュール１１４０は、図１０を参照しながら説明されたＣＵＢＳ送信管理モジュール１０４０の１つまたは複数の態様の一例であり得る。いくつかの例では、ＣＵＢＳ送信管理モジュール１１４０は、スケジュールされたアップリンク送信の前にアンライセンス無線周波数スペクトル帯域を占有するために、アンライセンス無線周波数スペクトル帯域を介してＣＵＢＳを送信するために使用され得る。
【０１１９】
[0127]  いくつかの例では、ＳＲＳ管理モジュール１１４５は、ＳＲＳ送信の電力関連パラメータとＰＵＳＣＨ送信またはＰＵＣＣＨ送信のうちの少なくとも１つの電力関連パラメータを一致させるために使用され得る。いくつかの例では、ＳＲＳ送信の電力関連パラメータとＰＵＳＣＨ送信またはＰＵＣＣＨ送信のうちの少なくとも１つの電力関連パラメータを一致させることは、ＳＲＳ送信の総送信電力とＰＵＳＣＨ送信またはＰＵＣＣＨ送信のうちの少なくとも１つの総送信電力を一致させることを含み得る。いくつかの例では、ＳＲＳ送信の電力関連パラメータとＰＵＳＣＨ送信またはＰＵＣＣＨ送信のうちの少なくとも１つの電力関連パラメータを一致させることは、ＳＲＳ送信の電力スペクトル密度とＰＵＳＣＨ送信またはＰＵＣＣＨ送信のうちの少なくとも１つの電力スペクトル密度を一致させることを含み得る。
【０１２０】
[0128]  いくつかの例では、ＳＲＳ管理モジュール１１４５はまた、ＳＲＳ送信をスケジュールされたアップリンク送信の最終シンボルとして送信するために使用され得る。
【０１２１】
[0129]  図１２は、本開示の様々な態様による、ＣＵＢＳ生成モジュール１２３５のブロック図１２００を示す。いくつかの例では、ＣＵＢＳ生成モジュール１２３５は、図１０および／または図１１を参照しながら説明されたＣＵＢＳ生成モジュール１０３５および／または１１３５のうちの１つまたは複数のＣＵＢＳ生成モジュールの態様の一例であり得る。ＣＵＢＳ生成モジュール１２３５は、帯域幅マッチングモジュール（bandwidth matching module）１２５０、電力マッチングモジュール（power matching module）１２５５、および／またはペイロードマッチングモジュール（payload matching module）１２６０を含み得る。これらの構成要素の各々は、互いと通信していることがある。
【０１２２】
[0130]  いくつかの例では、帯域幅マッチングモジュール１２５０は、ＣＵＢＳの帯域幅とスケジュールされたアップリンク送信の帯域幅を一致させるために使用され得る。
【０１２３】
[0131]  いくつかの例では、ＣＵＢＳの帯域幅とスケジュールされたアップリンク送信の帯域幅を一致させることは、ＣＵＢＳの帯域幅とスケジュールされたアップリンク送信に割り振られた周波数トーンセットを一致させることを含み得る。いくつかの例では、ＣＵＢＳの帯域幅とスケジュールされたアップリンク送信の帯域幅を一致させることは、ＣＵＢＳに関連付けられたリソースブロックインターレースの数とスケジュールされたアップリンク送信に関連付けられたリソースブロックインターレースの数を一致させることを含み得る。いくつかの例では、ＣＵＢＳの帯域幅とスケジュールされたアップリンク送信の帯域幅を一致させることは、ＣＵＢＳを送信するために使用されるリソースブロックの総数とスケジュールされたアップリンク送信に関連付けられたリソースブロックの総数を一致させることを含み得る。
【０１２４】
[0132]  いくつかの例では、電力マッチングモジュール１２５５は、ＣＵＢＳの送信電力とスケジュールされたアップリンク送信の送信電力を一致させるために使用され得る。
【０１２５】
[0133]  いくつかの例では、ペイロードマッチングモジュール１２６０は、ＣＵＢＳ内にスケジュールされたアップリンク送信の少なくとも一部分（たとえば、スケジュールされたアップリンク送信のペイロードの少なくとも一部分）を複製するために使用され得る。
【０１２６】
[0134]  図１３は、本開示の様々な態様による、ワイヤレス通信において使用するためのワイヤレスデバイス１３１５（たとえば、１つまたは複数の基地局と通信することが可能なＵＥ）のブロック図１３００を示す。ワイヤレスデバイス１３１５は、様々な構成を有し得、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネットアプライアンス、ゲームコンソール、電子リーダーなどに含まれるか、またはその一部であり得る。ワイヤレスデバイス１３１５は、いくつかの例では、モバイル動作を容易にするために、小型バッテリーなどの内部電源（図示せず）を有し得る。いくつかの例では、ワイヤレスデバイス１３１５は、図１、図２、および／または図６を参照しながら説明されたワイヤレスデバイス１１５、２１５、２１５−ａ、２１５−ｂ、２１５−ｃ、および／または６１５のうちの１つまたは複数のワイヤレスデバイスの態様、ならびに／あるいは、図１０および／または図１１を参照しながら説明された装置１０１５および／または１１１５のうちの１つまたは複数の装置の態様の一例であり得る。ワイヤレスデバイス１３１５は、図１、図２、図３、図４、図５、図６、図７、図８、図９、図１０、および／または図１１を参照しながら説明されたワイヤレスデバイスの特徴および機能のうちの少なくともいくつかを実装するように構成され得る。
【０１２７】
[0135]  ワイヤレスデバイス１３１５は、デバイスプロセッサモジュール１３１０、デバイスメモリモジュール１３２０、（デバイストランシーバモジュール１３３０によって表される）少なくとも１つのデバイストランシーバモジュール、（デバイスアンテナ１３４０によって表される）少なくとも１つのデバイスアンテナ、および／またはデバイスワイヤレス通信管理モジュール１３６０を含み得る。これらの構成要素の各々は、１つまたは複数のバス１３３５を介して、直接または間接的に互いと通信していることがある。
【０１２８】
[0136]  デバイスメモリモジュール１３２０は、ランダムアクセスメモリ（ＲＡＭ）および／または読取り専用メモリ（ＲＯＭ）を含み得る。デバイスメモリモジュール１３２０は、実行されると、たとえば、ＣＵＢＳの生成および送信を含む、ワイヤレス通信に関する本明細書で説明される様々な機能をデバイスプロセッサモジュール１３１０に実行（perform）させるように構成された命令を含んでいるコンピュータ可読、コンピュータ実行可能コード１３２５を記憶し得る。代替的に、コード１３２５は、デバイスプロセッサモジュール１３１０によって直接実行可能ではないことがあるが、（たとえば、コンパイルされ実行されると）本明細書で説明される様々な機能をワイヤレスデバイス１３１５に実行させるように構成され得る。
【０１２９】
[0137]  デバイスプロセッサモジュール１３１０は、インテリジェントハードウェアデバイス、たとえば、ＣＰＵ、マイクロコントローラ、ＡＳＩＣなどを含み得る。デバイスプロセッサモジュール１３１０は、デバイストランシーバモジュール１３３０を通じて受信された情報および／またはデバイスアンテナ１３４０を通じた送信のためにデバイストランシーバモジュール１３３０に送られるべき情報を処理し得る。デバイスプロセッサモジュール１３１０は、単独でまたはデバイスワイヤレス通信管理モジュール１３６０とともに、第１の無線周波数スペクトル帯域（たとえば、ＬＴＥ／ＬＴＥ−Ａ通信に使用できるライセンス無線周波数スペクトル帯域など、無線周波数スペクトル帯域が特定の用途のために特定のユーザにライセンスされているので、装置がアクセスを求めて競合しないライセンス無線周波数スペクトル帯域）および／または第２の無線周波数スペクトル帯域（たとえば、無線周波数スペクトル帯域がＷｉ−Ｆｉ用途などのアンライセンス用途のために利用可能であるので、装置がアクセスを求めて競合する必要があり得るアンライセンス無線周波数スペクトル帯域）を介して通信すること（またはその帯域を介した通信を管理すること）の様々な態様を扱い得る。
【０１３０】
[0138]  デバイストランシーバモジュール１３３０は、パケットを変調し、変調されたパケットを送信のためにデバイスアンテナ１３４０に与え、デバイスアンテナ１３４０から受信されたパケットを復調するように構成されたモデムを含み得る。デバイストランシーバモジュール１３３０は、いくつかの例では、１つまたは複数のデバイス送信機モジュールおよび１つまたは複数の別個のデバイス受信機モジュールとして実装され得る。デバイストランシーバモジュール１３３０は、第１の無線周波数スペクトル帯域および／または第２の無線周波数スペクトル帯域における通信をサポートし得る。デバイストランシーバモジュール１３３０は、図１、図２、および／または図６を参照しながら説明された基地局１０５、２０５、２０５−ａ、および／または６０５のうちの１つまたは複数と、デバイスアンテナ１３４０を介して双方向に通信するように構成され得る。ワイヤレスデバイス１３１５は単一のデバイスアンテナを含み得るが、ワイヤレスデバイス１３１５が複数のデバイスアンテナ１３４０を含み得る例があり得る。
【０１３１】
[0139]  デバイス状態モジュール（device state module）１３５０は、たとえば、無線リソース制御（ＲＲＣ：radio resource control）アイドル状態とＲＲＣ接続状態との間のワイヤレスデバイス１３１５の遷移を管理するために使用され得、１つまたは複数のバス１３３５を介して、直接または間接的にワイヤレスデバイス１３１５の他の構成要素と通信していることがある。デバイス状態モジュール１３５０またはそれの部分は、プロセッサを含み得、ならびに／あるいは、デバイス状態モジュール１３５０の機能の一部または全部は、デバイスプロセッサモジュール１３１０によっておよび／またはデバイスプロセッサモジュール１３１０とともに実行され得る。
【０１３２】
[0140]  デバイスワイヤレス通信管理モジュール１３６０は、第１の無線周波数スペクトル帯域および／または第２の無線周波数スペクトル帯域を介したワイヤレス通信に関する、図１、図２、図３、図４、図５、図６、図７、図８、図９、図１０、図１１、および／または図１２を参照しながら説明された特徴および／または機能の一部または全部を実行および／または制御するように構成され得る。たとえば、デバイスワイヤレス通信管理モジュール１３６０は、第１の無線周波数スペクトル帯域および／または第２の無線周波数スペクトル帯域を使用して、補助ダウンリンクモード、キャリアアグリゲーションモード、および／またはスタンドアロンモードをサポートするように構成され得る。デバイスワイヤレス通信管理モジュール１３６０は、第１の無線周波数スペクトル帯域におけるＬＴＥ／ＬＴＥ−Ａ通信を扱うように構成されたライセンス無線周波数スペクトル帯域用デバイスＬＴＥ／ＬＴＥ−Ａモジュール１３６５と、第２の無線周波数スペクトル帯域におけるＬＴＥ／ＬＴＥ−Ａ通信を扱うように構成されたアンライセンス無線周波数スペクトル帯域用デバイスＬＴＥ／ＬＴＥ−Ａモジュール１３７０とを含み得る。デバイスワイヤレス通信管理モジュール１３６０またはそれの部分は、プロセッサを含み得、ならびに／あるいは、デバイスワイヤレス通信管理モジュール１３６０の機能の一部または全部は、デバイスプロセッサモジュール１３１０によっておよび／またはデバイスプロセッサモジュール１３１０とともに実行され得る。いくつかの例では、デバイスワイヤレス通信管理モジュール１３６０は、図１０および／または図１１を参照しながら説明されたワイヤレス通信管理モジュール１０２０および／または１１２０の一例であり得る。
【０１３３】
[0141]  図１４は、本開示の様々な態様による、ワイヤレス通信において使用するための基地局１４０５（たとえば、ｅＮＢの一部または全部を形成する基地局）のブロック図１４００を示す。いくつかの例では、基地局１４０５は、図１、図２、および／または図６を参照しながら説明された基地局１０５、２０５、２０５−ａ、および／または６０５の１つまたは複数の態様の一例であり得る。基地局１４０５は、図１、図２、図３、図４、図５、図６、図７、図８、および／または図９を参照しながら説明された基地局の特徴および機能のうちの少なくともいくつかを実装するかまたは容易にするように構成され得る。
【０１３４】
[0142]  基地局１４０５は、基地局プロセッサモジュール１４１０、基地局メモリモジュール１４２０、（基地局トランシーバモジュール１４５０によって表される）少なくとも１つの基地局トランシーバモジュール、（基地局アンテナ１４５５によって表される）少なくとも１つの基地局アンテナ、および／または基地局ワイヤレス通信管理モジュール１４６０を含み得る。基地局１４０５はまた、基地局通信モジュール１４３０および／またはネットワーク通信モジュール１４４０のうちの１つまたは複数を含み得る。これらの構成要素の各々は、１つまたは複数のバス１４３５を介して、直接または間接的に互いと通信していることがある。
【０１３５】
[0143]  基地局メモリモジュール１４２０は、ＲＡＭおよび／またはＲＯＭを含み得る。基地局メモリモジュール１４２０は、実行されると、たとえば、アップリンク送信のスケジューリングを含む、ワイヤレス通信に関する本明細書で説明される様々な機能を基地局プロセッサモジュール１４１０に実行させるように構成された命令を含んでいるコンピュータ可読、コンピュータ実行可能コード１４２５を記憶し得る。代替的に、コード１４２５は、基地局プロセッサモジュール１４１０によって直接実行可能ではないことがあるが、（たとえば、コンパイルされ実行されると）本明細書で説明される様々な機能を基地局１４０５に実行させるように構成され得る。
【０１３６】
[0144]  基地局プロセッサモジュール１４１０は、インテリジェントハードウェアデバイス、たとえば、中央処理ユニット（ＣＰＵ）、マイクロコントローラ、ＡＳＩＣなどを含み得る。基地局プロセッサモジュール１４１０は、基地局トランシーバモジュール１４５０、基地局通信モジュール１４３０、および／またはネットワーク通信モジュール１４４０を通じて受信された情報を処理し得る。基地局プロセッサモジュール１４１０はまた、アンテナ１４５５を通じた送信のためにトランシーバモジュール１４５０に、１つまたは複数の他の基地局１４０５−ａおよび１４０５−ｂへの送信のために基地局通信モジュール１４３０に、ならびに／あるいは、図１を参照しながら説明されたコアネットワーク１３０の１つまたは複数の態様の一例であり得るコアネットワーク１４４５への送信のためにネットワーク通信モジュール１４４０に送られるべき情報を処理し得る。基地局プロセッサモジュール１４１０は、単独でまたは基地局ワイヤレス通信管理モジュール１４６０とともに、第１の無線周波数スペクトル帯域（たとえば、ＬＴＥ／ＬＴＥ−Ａ通信に使用できるライセンス無線周波数スペクトル帯域など、無線周波数スペクトル帯域が特定の用途のために特定のユーザにライセンスされているので、装置がアクセスを求めて競合しないライセンス無線周波数スペクトル帯域）および／または第２の無線周波数スペクトル帯域（たとえば、無線周波数スペクトル帯域がＷｉ−Ｆｉ用途などのアンライセンス用途のために利用可能であるので、装置がアクセスを求めて競合する必要があり得るアンライセンス無線周波数スペクトル帯域）を介して通信すること（またはその帯域を介した通信を管理すること）の様々な態様を扱い得る。
【０１３７】
[0145]  基地局トランシーバモジュール１４５０は、パケットを変調し、変調されたパケットを送信のために基地局アンテナ１４５５に与え、基地局アンテナ１４５５から受信されたパケットを復調するように構成されたモデムを含み得る。基地局トランシーバモジュール１４５０は、いくつかの例では、１つまたは複数の基地局送信機モジュールおよび１つまたは複数の別個の基地局受信機モジュールとして実装され得る。基地局トランシーバモジュール１４５０は、第１の無線周波数スペクトル帯域および／または第２の無線周波数スペクトル帯域における通信をサポートし得る。基地局トランシーバモジュール１４５０は、図１、図２、図６、および／または図１３を参照しながら説明されたワイヤレスデバイス１１５、２１５、２１５−ａ、２１５−ｂ、２１５−ｃ、６１５、および／または１３１５のうちの１つまたは複数、ならびに／あるいは、図１０および／または図１１を参照しながら説明された装置１０１５および／または１１１５のうちの１つまたは複数など、１つまたは複数のワイヤレスデバイスまたは装置と、アンテナ１４５５を介して双方向に通信するように構成され得る。基地局１４０５は、たとえば、複数の基地局アンテナ１４５５（たとえば、アンテナアレイ）を含み得る。基地局１４０５は、ネットワーク通信モジュール１４４０を通じてコアネットワーク１４４５と通信し得る。基地局１４０５はまた、基地局通信モジュール１４３０を使用して、基地局１４０５−ａおよび１４０５−ｂなどの他の基地局と通信し得る。
【０１３８】
[0146]  基地局ワイヤレス通信管理モジュール１４６０は、第１の無線周波数スペクトル帯域および／または第２の無線周波数スペクトル帯域を介したワイヤレス通信に関する、図１、図２、図３、図４、図５、図６、図７、図８、および／または図９を参照しながら説明された特徴および／または機能の一部または全部を実行および／または制御するように構成され得る。たとえば、基地局ワイヤレス通信管理モジュール１４６０は、第１の無線周波数スペクトル帯域および／または第２の無線周波数スペクトル帯域を使用して、補助ダウンリンクモード、キャリアアグリゲーションモード、および／またはスタンドアロンモードをサポートするように構成され得る。基地局ワイヤレス通信管理モジュール１４６０は、第１の無線周波数スペクトル帯域におけるＬＴＥ／ＬＴＥ−Ａ通信を扱うように構成されたライセンス無線周波数スペクトル帯域用基地局ＬＴＥ／ＬＴＥ−Ａモジュール１４６５、および／または第２の無線周波数スペクトル帯域におけるＬＴＥ／ＬＴＥ−Ａ通信を扱うように構成されたアンライセンス無線周波数スペクトル帯域用基地局ＬＴＥ／ＬＴＥ−Ａモジュール１４７０を含み得る。基地局ワイヤレス通信管理モジュール１４６０またはそれの部分は、プロセッサを含み得、ならびに／あるいは、基地局ワイヤレス通信管理モジュール１４６０の機能の一部または全部は、基地局プロセッサモジュール１４１０によっておよび／または基地局プロセッサモジュール１４１０とともに実行され得る。
【０１３９】
[0147]  図１５は、本開示の様々な態様による、ワイヤレス通信のための方法１５００の一例を示すフローチャートである。明快にするために、方法１５００は、図１、図２、図６、および／または図１３を参照しながら説明されたワイヤレスデバイス１１５、２１５、２１５−ａ、２１５−ｂ、２１５−ｃ、６１５、および／または１３１５のうちの１つまたは複数のワイヤレスデバイスの態様、ならびに／あるいは、図１０および／または図１１を参照しながら説明された装置１０１５および／または１１１５のうちの１つまたは複数の装置の態様を参照しながら以下で説明される。いくつかの例では、ワイヤレスデバイスは、以下で説明される機能を実行するようにワイヤレスデバイスの機能要素を制御するためのコードの１つまたは複数のセットを実行し得る。
【０１４０】
[0148]  ブロック１５０５において、方法１５００は、ワイヤレスデバイスにおいてＣＵＢＳを生成することを含み得る。ＣＵＢＳの波形は、ワイヤレスデバイスによるスケジュールされたアップリンク送信に少なくとも部分的に基づき得る。いくつかの例では、スケジュールされたアップリンク送信は、ＰＵＳＣＨ送信、ＰＵＣＣＨ送信、および／またはＳＲＳ送信を含み得る。いくつかの例では、スケジュールされたアップリンク送信は、ＰＵＳＣＨ送信またはＰＵＣＣＨ送信のうちの少なくとも１つで多重化されたＳＲＳ送信を含み得る。ブロック１５０５における動作は、図１０、図１１、および／または図１３を参照しながら説明されたワイヤレス通信管理モジュール１０２０、１１２０、および／または１３６０、ならびに／あるいは、図１０、図１１、および／または図１２を参照しながら説明されたＣＵＢＳ生成モジュール１０３５、１１３５、および／または１２３５を使用して実行され得る。
【０１４１】
[0149]  いくつかの例では、ブロック１５０５において生成されたＣＵＢＳの波形は、同じくまたは代替的に、ワイヤレスデバイスの識別情報および／またはスケジュールされたアップリンク送信が最初にスケジュールされた送信期間の識別情報に少なくとも部分的に基づいて生成され得る。いくつかの例では、スケジュールされたアップリンク送信が最初にスケジュールされた送信期間は、ＬＢＴフレーム、基地局同期フレーム、またはサブフレームであり得、スケジュールされたアップリンク送信が最初にスケジュールされた送信期間の識別情報は、現在または前のＬＢＴフレーム、基地局同期フレーム、またはサブフレームであり得る。識別された送信期間は、たとえば、ワイヤレスデバイスが、スケジュールされたアップリンク送信が最初にスケジュールされた送信期間の間にアンライセンス無線周波数スペクトル帯域へのアクセスを求めて競合するのに成功できない、前の送信期間であり得る。
【０１４２】
[0150]  ブロック１５１０において、方法１５００は、スケジュールされたアップリンク送信の前にアンライセンス無線周波数スペクトル帯域を占有するために、ワイヤレスデバイスによって、アンライセンス無線周波数スペクトル帯域を介してＣＵＢＳを送信することを含み得る。いくつかの例では、アンライセンス無線周波数スペクトル帯域は、無線周波数スペクトル帯域がＷｉ−Ｆｉ用途などのアンライセンス用途のために利用可能であるので、デバイスがアクセスを求めて競合する必要がある無線周波数スペクトル帯域であり得る。ブロック１５１０における動作は、図１０、図１１、および／または図１３を参照しながら説明されたワイヤレス通信管理モジュール１０２０、１１２０、および／または１３６０、ならびに／あるいは、図１０、図１１、および／または図１２を参照しながら説明されたＣＵＢＳ送信管理モジュール１０４０、１１４０、および／または１２４０を使用して実行され得る。
【０１４３】
[0151]  方法１５００のいくつかの例では、ワイヤレスデバイスは、第１のワイヤレスデバイスを含み得、スケジュールされたアップリンク送信は、送信期間の間の基地局への複数のスケジュールされたアップリンク送信のうちの第１のスケジュールされたアップリンク送信を含み得る。複数のスケジュールされたアップリンク送信はまた、第２のワイヤレスデバイスによる第２のスケジュールされたアップリンク送信を含み得る。これらの例では、第１のスケジュールされたアップリンク送信は、第２のスケジュールされたアップリンク送信とは異なり得、したがって、第１のＣＵＢＳは、第２のスケジュールされたアップリンク送信の前にアンライセンス無線周波数スペクトル帯域を占有するために、アンライセンス無線周波数スペクトル帯域を介して送信される第２のＣＵＢＳとは異なり得る。
【０１４４】
[0152]  方法１５００のいくつかの例では、スケジュールされたアップリンク送信は、第１のスケジュールされたアップリンク送信を含み得、ＣＵＢＳは、第１のＣＵＢＳを含み得る。これらの例では、方法１５００は、ワイヤレスデバイスにおいて第２のＣＵＢＳを生成することをさらに含み得る。第２のＣＵＢＳの波形は、ワイヤレスデバイスによる第２のスケジュールされたアップリンク送信に少なくとも部分的に基づき得る。方法１５００はまた、第２のスケジュールされたアップリンク送信の前にアンライセンス無線周波数スペクトル帯域を占有するために、ワイヤレスデバイスによって、アンライセンス無線周波数スペクトル帯域を介して第２のＣＵＢＳを送信することを含み得る。
【０１４５】
[0153]  このようにして、方法１５００はワイヤレス通信を提供し得る。方法１５００は一実装形態にすぎず、方法１５００の動作は、他の実装形態が可能であるように再構成されるかまたは別の方法で修正され得ることに留意されたい。
【０１４６】
[0154]  図１６は、本開示の様々な態様による、ワイヤレス通信のための方法１６００の一例を示すフローチャートである。明快にするために、方法１５００は、図１、図２、図６、および／または図１３を参照しながら説明されたワイヤレスデバイス１１５、２１５、２１５−ａ、２１５−ｂ、２１５−ｃ、６１５、および／または１３１５のうちの１つまたは複数のワイヤレスデバイスの態様、ならびに／あるいは、図１０および／または図１１を参照しながら説明された装置１０１５および／または１１１５のうちの１つまたは複数の装置の態様を参照しながら以下で説明される。いくつかの例では、ワイヤレスデバイスは、以下で説明される機能を実行するようにワイヤレスデバイスの機能要素を制御するためのコードの１つまたは複数のセットを実行し得る。
【０１４７】
[0155]  ブロック１６０５において、方法１６００は、ワイヤレスデバイスによるスケジュールされたアップリンク送信に割り振られた周波数トーンセットを決定することを含み得る。いくつかの例では、スケジュールされたアップリンク送信は、ＰＵＳＣＨ送信、ＰＵＣＣＨ送信、および／またはＳＲＳ送信を含み得る。いくつかの例では、スケジュールされたアップリンク送信は、ＰＵＳＣＨ送信またはＰＵＣＣＨ送信のうちの少なくとも１つで多重化されたＳＲＳ送信を含み得る。ブロック１６０５における動作は、図１０、図１１、および／または図１３を参照しながら説明されたワイヤレス通信管理モジュール１０２０、１１２０、および／または１３６０、ならびに／あるいは、図１１を参照しながら説明されたスケジュールされたアップリンク送信分析モジュール１１２５を使用して実行され得る。
【０１４８】
[0156]  いくつかの例では、スケジュールされたアップリンク送信に割り振られた周波数トーンセットを決定することは、スケジュールされたアップリンク送信に関連付けられた静的または半静的スケジュールに少なくとも部分的に基づいて、スケジュールされたアップリンク送信に割り振られた周波数トーンセットを決定することを含み得る。いくつかの例では、スケジュールされたアップリンク送信に割り振られた周波数トーンセットを決定することは、スケジュールされたアップリンク送信に割り振られた周波数トーンセットの指示を基地局から受信することを含み得る。
【０１４９】
[0157]  ブロック１６１０、ブロック１６１５、および／またはブロック１６２０において、方法１６００は、ワイヤレスデバイスにおいてＣＵＢＳを生成することを含み得る。ＣＵＢＳの波形は、ワイヤレスデバイスによるスケジュールされたアップリンク送信に少なくとも部分的に基づき得る。たとえば、ブロック１６１０において、方法１６００は、ＣＵＢＳの帯域幅とスケジュールされたアップリンク送信の帯域幅を一致させることを含み得る。ブロック１６１０における動作は、図１０、図１１、および／または図１３を参照しながら説明されたワイヤレス通信管理モジュール１０２０、１１２０、および／または１３６０、図１０、図１１、および／または図１２を参照しながら説明されたＣＵＢＳ生成モジュール１０３５、１１３５、および／または１２３５、ならびに／あるいは、図１２を参照しながら説明された帯域幅マッチングモジュール１２５０を使用して実行され得る。
【０１５０】
[0158]  いくつかの例では、ＣＵＢＳの帯域幅とスケジュールされたアップリンク送信の帯域幅を一致させることは、ＣＵＢＳの帯域幅とスケジュールされたアップリンク送信に割り振られた周波数トーンセットを一致させることを含み得る。いくつかの例では、ＣＵＢＳの帯域幅とスケジュールされたアップリンク送信の帯域幅を一致させることは、ＣＵＢＳに関連付けられたリソースブロックインターレースの数とスケジュールされたアップリンク送信に関連付けられたリソースブロックインターレースの数を一致させることを含み得る。いくつかの例では、ＣＵＢＳの帯域幅とスケジュールされたアップリンク送信の帯域幅を一致させることは、ＣＵＢＳを送信するために使用されるリソースブロックの総数とスケジュールされたアップリンク送信に関連付けられたリソースブロックの総数を一致させることを含み得る。
【０１５１】
[0159]  ブロック１６１５において、方法１６００は、ＣＵＢＳの送信電力とスケジュールされたアップリンク送信の送信電力を一致させることを含み得る。ブロック１６１５における動作は、図１０、図１１、および／または図１３を参照しながら説明されたワイヤレス通信管理モジュール１０２０、１１２０、および／または１３６０、図１０、図１１、および／または図１２を参照しながら説明されたＣＵＢＳ生成モジュール１０３５、１１３５、および／または１２３５、ならびに／あるいは、図１２を参照しながら説明された電力マッチングモジュール１２５５を使用して実行され得る。
【０１５２】
[0160]  ブロック１６２０において、方法１６００は、ＣＵＢＳ内にスケジュールされたアップリンク送信の少なくとも一部分（たとえば、スケジュールされたアップリンク送信のペイロードの少なくとも一部分）を複製することを含み得る。ブロック１６２０における動作は、図１０、図１１、および／または図１３を参照しながら説明されたワイヤレス通信管理モジュール１０２０、１１２０、および／または１３６０、図１０、図１１、および／または図１２を参照しながら説明されたＣＵＢＳ生成モジュール１０３５、１１３５、および／または１２３５、ならびに／あるいは、図１２を参照しながら説明されたペイロードマッチングモジュール１２６０を使用して実行され得る。
【０１５３】
[0161]  ブロック１６２５において、方法１６００は、スケジュールされたアップリンク送信の前にアンライセンス無線周波数スペクトル帯域を占有するために、ワイヤレスデバイスによって、アンライセンス無線周波数スペクトル帯域を介してＣＵＢＳを送信することを含み得る。いくつかの例では、アンライセンス無線周波数スペクトル帯域は、無線周波数スペクトル帯域がＷｉ−Ｆｉ用途などのアンライセンス用途のために利用可能であるので、デバイスがアクセスを求めて競合する必要がある無線周波数スペクトル帯域であり得る。ブロック１６２５における動作は、図１０、図１１、および／または図１３を参照しながら説明されたワイヤレス通信管理モジュール１０２０、１１２０、および／または１３６０、ならびに／あるいは、図１０、図１１、および／または図１２を参照しながら説明されたＣＵＢＳ送信管理モジュール１０４０、１１４０、および／または１２４０を使用して実行され得る。
【０１５４】
[0162]  このようにして、方法１６００はワイヤレス通信を提供し得る。方法１６００は一実装形態にすぎず、方法１６００の動作は、他の実装形態が可能であるように再構成されるかまたは別の方法で修正され得ることに留意されたい。
【０１５５】
[0163]  図１７は、本開示の様々な態様による、ワイヤレス通信のための方法１７００の一例を示すフローチャートである。明快にするために、方法１５００は、図１、図２、図６、および／または図１３を参照しながら説明されたワイヤレスデバイス１１５、２１５、２１５−ａ、２１５−ｂ、２１５−ｃ、６１５、および／または１３１５のうちの１つまたは複数のワイヤレスデバイスの態様、ならびに／あるいは、図１０および／または図１１を参照しながら説明された装置１０１５および／または１１１５のうちの１つまたは複数の装置の態様を参照しながら以下で説明される。いくつかの例では、ワイヤレスデバイスは、以下で説明される機能を実行するようにワイヤレスデバイスの機能要素を制御するためのコードの１つまたは複数のセットを実行し得る。
【０１５６】
[0164]  ブロック１７０５において、方法１７００は、ワイヤレスデバイスによるスケジュールされたアップリンク送信に割り振られた周波数トーンセットを決定することを含み得る。いくつかの例では、スケジュールされたアップリンク送信は、ＳＲＳ送信と、ＰＵＳＣＨ送信またはＰＵＣＣＨ送信のうちの少なくとも１つとを含み得る。ブロック１７０５における動作は、図１０、図１１、および／または図１３を参照しながら説明されたワイヤレス通信管理モジュール１０２０、１１２０、および／または１３６０、ならびに／あるいは、図１１を参照しながら説明されたスケジュールされたアップリンク送信分析モジュール１１２５を使用して実行され得る。
【０１５７】
[0165]  いくつかの例では、スケジュールされたアップリンク送信に割り振られた周波数トーンセットを決定することは、スケジュールされたアップリンク送信に関連付けられた静的または半静的スケジュールに少なくとも部分的に基づいて、スケジュールされたアップリンク送信に割り振られた周波数トーンセットを決定することを含み得る。いくつかの例では、スケジュールされたアップリンク送信に割り振られた周波数トーンセットを決定することは、スケジュールされたアップリンク送信に割り振られた周波数トーンセットの指示を基地局から受信することを含み得る。
【０１５８】
[0166]  ブロック１７１０において、方法１７００は、ワイヤレスデバイスにおいてＣＵＢＳを生成することを含み得る。ＣＵＢＳの波形は、ワイヤレスデバイスによるスケジュールされたアップリンク送信に少なくとも部分的に基づき得る。ブロック１７１０における動作は、図１０、図１１、および／または図１３を参照しながら説明されたワイヤレス通信管理モジュール１０２０、１１２０、および／または１３６０、ならびに／あるいは、図１０、図１１、および／または図１２を参照しながら説明されたＣＵＢＳ生成モジュール１０３５、１１３５、および／または１２３５を使用して実行され得る。
【０１５９】
[0167]  ブロック１７１５において、方法１７００は、ワイヤレスデバイスによって、アンライセンス無線周波数スペクトル帯域の周波数トーンセットを介してＣＵＢＳを送信することを含み得る。ＣＵＢＳが送信される周波数トーンセットは、ＰＵＳＣＨ送信またはＰＵＣＣＨ送信のうちの少なくとも１つに割り振られた周波数トーンセットであり得る。ＣＵＢＳは、スケジュールされたアップリンク送信の前にアンライセンス無線周波数スペクトル帯域を占有するために、アンライセンス無線周波数スペクトル帯域を介して送信され得る。いくつかの例では、アンライセンス無線周波数スペクトル帯域は、無線周波数スペクトル帯域がＷｉ−Ｆｉ用途などのアンライセンス用途のために利用可能であるので、デバイスがアクセスを求めて競合する必要がある無線周波数スペクトル帯域であり得る。ブロック１７１５における動作は、図１０、図１１、および／または図１３を参照しながら説明されたワイヤレス通信管理モジュール１０２０、１１２０、および／または１３６０、ならびに／あるいは、図１０、図１１、および／または図１２を参照しながら説明されたＣＵＢＳ送信管理モジュール１０４０、１１４０、および／または１２４０を使用して実行され得る。
【０１６０】
[0168]  ブロック１７２０において、方法１７００は、ＳＲＳ送信の電力関連パラメータとＰＵＳＣＨ送信またはＰＵＣＣＨ送信のうちの少なくとも１つの電力関連パラメータを一致させることを含み得る。ブロック１７２０における動作は、図１０、図１１、および／または図１３を参照しながら説明されたワイヤレス通信管理モジュール１０２０、１１２０、および／または１３６０、ならびに／あるいは、図１１を参照しながら説明されたＳＲＳ管理モジュール１１４５を使用して実行され得る。
【０１６１】
[0169]  いくつかの例では、ＳＲＳ送信の電力関連パラメータとＰＵＳＣＨ送信またはＰＵＣＣＨ送信のうちの少なくとも１つの電力関連パラメータを一致させることは、ＳＲＳ送信の総送信電力とＰＵＳＣＨ送信またはＰＵＣＣＨ送信のうちの少なくとも１つの総送信電力を一致させることを含み得る。いくつかの例では、ＳＲＳ送信の電力関連パラメータとＰＵＳＣＨ送信またはＰＵＣＣＨ送信のうちの少なくとも１つの電力関連パラメータを一致させることは、ＳＲＳ送信の電力スペクトル密度とＰＵＳＣＨ送信またはＰＵＣＣＨ送信のうちの少なくとも１つの電力スペクトル密度を一致させることを含み得る。
【０１６２】
[0170]  ブロック１７２５において、方法１７００は、ＳＲＳ送信をスケジュールされたアップリンク送信の最終シンボルとして送信することを含み得る。ブロック１７２５における動作は、図１０、図１１、および／または図１３を参照しながら説明されたワイヤレス通信管理モジュール１０２０、１１２０、および／または１３６０、ならびに／あるいは、図１１を参照しながら説明されたＳＲＳ管理モジュール１１４５を使用して実行され得る。
【０１６３】
[0171]  このようにして、方法１７００はワイヤレス通信を提供し得る。方法１７００は一実装形態にすぎず、方法１７００の動作は、他の実装形態が可能であるように再構成されるかまたは別の方法で修正され得ることに留意されたい。
【０１６４】
[0172]  いくつかの例では、図１５、図１６、および／または図１７を参照しながら説明された方法１５００、１６００、および／または１７００のうちの１つまたは複数の方法の態様が組み合わされ得る。
【０１６５】
[0173]  添付の図面に関して上記に記載された発明を実施するための形態は、例について説明しており、実装され得るまたは特許請求の範囲内に入る例のみを表すものではない。「例」および「例示的」という用語は、本明細書で使用されるとき、「例、事例、または例示として働く」ことを意味し、「好ましい」または「他の例よりも有利である」ことを意味するものではない。発明を実施するための形態は、説明された技法の理解を与えるための具体的な詳細を含む。しかしながら、これらの技法は、これらの具体的な詳細なしに実践され得る。いくつかの事例では、説明された例の概念を不明瞭にすることを避けるために、よく知られている構造および装置は、ブロック図の形態で示されている。
【０１６６】
[0174]  情報および信号は、様々な異なる技術および技法のいずれかを使用して表され得る。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１６７】
[0175]  本明細書の本開示に関して説明された様々な例示的なブロックおよびモジュールは、汎用プロセッサ、デジタル信号プロセッサ（ＤＳＰ）、ＡＳＩＣ、ＦＰＧＡもしくは他のプログラマブル論理デバイス、個別ゲートもしくはトランジスタ論理、個別ハードウェア構成要素、または本明細書で説明される機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサの組合せ、複数のマイクロプロセッサ、ＤＳＰコアと連携する１つもしくは複数のマイクロプロセッサ、または任意の他のそのような構成としても実装され得る。
【０１６８】
[0176]  本明細書で説明される機能は、ハードウェア、プロセッサによって実行されるソフトウェア、ファームウェア、またはそれらの任意の組合せで実装され得る。プロセッサによって実行されるソフトウェアで実装される場合、機能は、非一時的コンピュータ可読媒体上の１つまたは複数の命令またはコードとして記憶されるかまたは送信され得る。他の例および実装形態は、本開示および添付の特許請求の範囲の範囲および趣旨内にある。たとえば、ソフトウェアの性質により、上記で説明された機能は、プロセッサ、ハードウェア、ファームウェア、ハードワイヤリング、またはこれらのいずれかの組合せによって実行されるソフトウェアを使用して実装され得る。機能を実装する特徴はまた、機能の部分が異なる物理ロケーションにおいて実装されるように分散されることを含めて、様々な位置に物理的に配置され得る。また、特許請求の範囲を含めて、本明細書で使用される場合、「のうちの少なくとも１つ」が後に続く項目の列挙中で使用される「または」は、たとえば、「Ａ、Ｂ、またはＣのうちの少なくとも１つ」の列挙がＡまたはＢまたはＣまたはＡＢまたはＡＣまたはＢＣまたはＡＢＣ（すなわち、ＡおよびＢおよびＣ）を意味するような選言的列挙を示す。
【０１６９】
[0177]  コンピュータ可読媒体は、ある場所から別の場所へのコンピュータプログラムの転送を容易にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気ストレージデバイス、または、命令もしくはデータ構造の形態の所望のプログラムコード手段を搬送もしくは記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、レーザーを用いてデータを光学的に再生する。上記の組合せも、コンピュータ可読媒体の範囲内に含まれる。
【０１７０】
[0178]  本開示についての以上の説明は、当業者が本開示を作成または使用することができるように与えたものである。本開示への様々な修正は当業者に容易に明らかになり、本明細書で定義される一般原理は、本開示の趣旨または範囲から逸脱することなく、他の変形形態に適用され得る。本開示全体にわたって、「例」または「例示的」という用語は、一例または一事例を示すものであり、言及された例についてのいかなる選好も暗示または要求するものではない。したがって、本開示は、本明細書で説明される例および設計に限定されるべきではなく、本明細書で開示される原理および新規の特徴と一致する最も広い範囲を与えられるべきである。
以下に本願の出願当初の特許請求の範囲に記載された発明を付記する。
［Ｃ１］
ワイヤレス通信の方法であって、
ワイヤレスデバイスにおいてチャネル使用ビーコン信号（ＣＵＢＳ）を生成することと、ここにおいて、前記ＣＵＢＳの波形が、前記ワイヤレスデバイスによるスケジュールされたアップリンク送信に少なくとも部分的に基づく、
前記スケジュールされたアップリンク送信の前にアンライセンス無線周波数スペクトル帯域を占有するために、前記ワイヤレスデバイスによって、前記アンライセンス無線周波数スペクトル帯域を介して前記ＣＵＢＳを送信することと
を備える方法。
［Ｃ２］
前記ＣＵＢＳを生成することは、
前記ＣＵＢＳの送信電力と前記スケジュールされたアップリンク送信の送信電力を一致させること、および
前記ＣＵＢＳの帯域幅と前記スケジュールされたアップリンク送信の帯域幅を一致させること
のうちの少なくとも１つを備える、Ｃ１に記載の方法。
［Ｃ３］
前記ＣＵＢＳの前記帯域幅と前記スケジュールされたアップリンク送信の前記帯域幅を一致させることが、
前記ＣＵＢＳの帯域幅と前記スケジュールされたアップリンク送信に割り振られた周波数トーンセットを一致させること
を備える、Ｃ２に記載の方法。
［Ｃ４］
前記スケジュールされたアップリンク送信に関連付けられた静的または半静的スケジュールに少なくとも部分的に基づいて、前記スケジュールされたアップリンク送信に割り振られた前記周波数トーンセットを決定すること
をさらに備える、Ｃ３に記載の方法。
［Ｃ５］
前記ＣＵＢＳの前記帯域幅と前記スケジュールされたアップリンク送信の前記帯域幅を一致させることが、
前記ＣＵＢＳを送信するために使用されるリソースブロックの総数と前記スケジュールされたアップリンク送信に関連付けられたリソースブロックの総数を一致させること
を備える、Ｃ３に記載の方法。
［Ｃ６］
前記スケジュールされたアップリンク送信が、物理アップリンク共有チャネル（ＰＵＳＣＨ）送信、物理アップリンク制御チャネル（ＰＵＣＣＨ）送信、およびサウンディング基準信号（ＳＲＳ）送信からなる群から選択される送信を備える、Ｃ１に記載の方法。
［Ｃ７］
前記スケジュールされたアップリンク送信が、前記ＳＲＳ送信と前記ＰＵＳＣＨ送信または前記ＰＵＣＣＨ送信のうちの少なくとも１つの両方を備え、前記方法が、
前記ＣＵＢＳの帯域幅と前記ＰＵＳＣＨ送信または前記ＰＵＣＣＨ送信のうちの前記少なくとも１つに割り振られた周波数トーンセットを一致させることと、
前記ＳＲＳ送信を前記スケジュールされたアップリンク送信の最終シンボルとして送信することと
をさらに備える、Ｃ６に記載の方法。
［Ｃ８］
前記ＳＲＳ送信の総送信電力と前記ＰＵＳＣＨ送信または前記ＰＵＣＣＨ送信のうちの前記少なくとも１つの総送信電力を一致させること、および
前記ＳＲＳ送信の電力スペクトル密度と前記ＰＵＳＣＨ送信または前記ＰＵＣＣＨ送信のうちの前記少なくとも１つの電力スペクトル密度を一致させること
のうちの少なくとも１つをさらに備える、Ｃ７に記載の方法。
［Ｃ９］
前記スケジュールされたアップリンク送信が、前記ＰＵＳＣＨ送信または前記ＰＵＣＣＨ送信のうちの少なくとも１つで多重化された前記ＳＲＳ送信を含む多重化送信を備え、前記ＣＵＢＳが、前記多重化送信に割り振られた周波数トーンセットを介して送信される、Ｃ６に記載の方法。
［Ｃ１０］
前記ＣＵＢＳの前記波形がさらに、前記ワイヤレスデバイスの識別情報に少なくとも部分的に基づいて生成される、Ｃ１に記載の方法。
［Ｃ１１］
前記ワイヤレスデバイスが、第１のワイヤレスデバイスを備え、前記スケジュールされたアップリンク送信が、送信期間の間の基地局への複数のスケジュールされたアップリンク送信のうちの第１のスケジュールされたアップリンク送信を備え、前記複数のスケジュールされたアップリンク送信が、第２のワイヤレスデバイスによる第２のスケジュールされたアップリンク送信を備え、前記第１のスケジュールされたアップリンク送信が、前記第２のスケジュールされたアップリンク送信とは異なる、Ｃ１に記載の方法。
［Ｃ１２］
前記スケジュールされたアップリンク送信が、第１のスケジュールされたアップリンク送信を備え、前記ＣＵＢＳが、第１のＣＵＢＳを備え、前記方法が、
前記ワイヤレスデバイスにおいて第２のＣＵＢＳを生成することと、ここにおいて、前記第２のＣＵＢＳの波形が、前記ワイヤレスデバイスによる第２のスケジュールされたアップリンク送信に少なくとも部分的に基づく、
前記第２のスケジュールされたアップリンク送信の前に前記アンライセンス無線周波数スペクトル帯域を占有するために、前記ワイヤレスデバイスによって、前記アンライセンス無線周波数スペクトル帯域を介して前記第２のＣＵＢＳを送信することと
をさらに備える、Ｃ１に記載の方法。
［Ｃ１３］
前記スケジュールされたアップリンク送信が、リッスンビフォアトーク（ＬＢＴ）フレーム、基地局同期フレーム、またはサブフレームからなる群から選択される送信期間についてスケジュールされる、Ｃ１に記載の方法。
［Ｃ１４］
前記ＣＵＢＳの前記波形がさらに、前記スケジュールされたアップリンク送信が最初にスケジュールされた送信期間の識別情報に少なくとも部分的に基づいて生成される、Ｃ１に記載の方法。
［Ｃ１５］
ワイヤレス通信のための装置であって、
ワイヤレスデバイスにおいてチャネル使用ビーコン信号（ＣＵＢＳ）を生成するための手段と、ここにおいて、前記ＣＵＢＳの波形が、前記ワイヤレスデバイスによるスケジュールされたアップリンク送信に少なくとも部分的に基づく、
前記スケジュールされたアップリンク送信の前にアンライセンス無線周波数スペクトル帯域を占有するために、前記ワイヤレスデバイスによって、前記アンライセンス無線周波数スペクトル帯域を介して前記ＣＵＢＳを送信するための手段と
を備える装置。
［Ｃ１６］
前記ＣＵＢＳを生成するための前記手段が、
前記ＣＵＢＳの送信電力と前記スケジュールされたアップリンク送信の送信電力を一致させるための手段、および
前記ＣＵＢＳの帯域幅と前記スケジュールされたアップリンク送信の帯域幅を一致させるための手段
のうちの少なくとも１つを備える、Ｃ１５に記載の装置。
［Ｃ１７］
前記ＣＵＢＳの前記帯域幅と前記スケジュールされたアップリンク送信の前記帯域幅を一致させるための前記手段が、
前記ＣＵＢＳの帯域幅と前記スケジュールされたアップリンク送信に割り振られた周波数トーンセットを一致させるための手段
を備える、Ｃ１６に記載の装置。
［Ｃ１８］
前記スケジュールされたアップリンク送信に関連付けられた静的または半静的スケジュールに少なくとも部分的に基づいて、前記スケジュールされたアップリンク送信に割り振られた前記周波数トーンセットを決定するための手段
をさらに備える、Ｃ１７に記載の装置。
［Ｃ１９］
前記ＣＵＢＳの前記帯域幅と前記スケジュールされたアップリンク送信の前記帯域幅を一致させるための前記手段が、
前記ＣＵＢＳを送信するために使用されるリソースブロックの総数と前記スケジュールされたアップリンク送信に関連付けられたリソースブロックの総数を一致させるための手段
を備える、Ｃ１６に記載の装置。
［Ｃ２０］
前記スケジュールされたアップリンク送信が、物理アップリンク共有チャネル（ＰＵＳＣＨ）送信、物理アップリンク制御チャネル（ＰＵＣＣＨ）送信、およびサウンディング基準信号（ＳＲＳ）送信からなる群から選択される送信を備える、Ｃ１５に記載の装置。
［Ｃ２１］
前記ＣＵＢＳの前記波形がさらに、前記ワイヤレスデバイスの識別情報に少なくとも部分的に基づいて生成される、Ｃ１５に記載の装置。
［Ｃ２２］
前記ワイヤレスデバイスが、第１のワイヤレスデバイスを備え、前記スケジュールされたアップリンク送信が、送信期間の間の基地局への複数のスケジュールされたアップリンク送信のうちの第１のスケジュールされたアップリンク送信を備え、前記複数のスケジュールされたアップリンク送信が、第２のワイヤレスデバイスによる第２のスケジュールされたアップリンク送信を備え、前記第１のスケジュールされたアップリンク送信が、前記第２のスケジュールされたアップリンク送信とは異なる、Ｃ１５に記載の装置。
［Ｃ２３］
前記スケジュールされたアップリンク送信が、第１のスケジュールされたアップリンク送信を備え、前記ＣＵＢＳが、第１のＣＵＢＳを備え、前記装置が、
前記ワイヤレスデバイスにおいて第２のＣＵＢＳを生成するための手段と、ここにおいて、前記第２のＣＵＢＳの波形が、前記ワイヤレスデバイスによる第２のスケジュールされたアップリンク送信に少なくとも部分的に基づく、
前記第２のスケジュールされたアップリンク送信の前に前記アンライセンス無線周波数スペクトル帯域を占有するために、前記ワイヤレスデバイスによって、前記アンライセンス無線周波数スペクトル帯域を介して前記第２のＣＵＢＳを送信するための手段と
をさらに備える、Ｃ１５に記載の装置。
［Ｃ２４］
ワイヤレス通信のための装置であって、
プロセッサと、
前記プロセッサに結合されたメモリと、ここにおいて、前記プロセッサが、
ワイヤレスデバイスにおいてチャネル使用ビーコン信号（ＣＵＢＳ）を生成することと、ここにおいて、前記ＣＵＢＳの波形が、前記ワイヤレスデバイスによるスケジュールされたアップリンク送信に少なくとも部分的に基づく、
前記スケジュールされたアップリンク送信の前にアンライセンス無線周波数スペクトル帯域を占有するために、前記ワイヤレスデバイスによって、前記アンライセンス無線周波数スペクトル帯域を介して前記ＣＵＢＳを送信することと
を行うように構成される、
を備える装置。
［Ｃ２５］
前記ＣＵＢＳを生成するように構成された前記プロセッサが、
前記ＣＵＢＳの送信電力と前記スケジュールされたアップリンク送信の送信電力を一致させる、および
前記ＣＵＢＳの帯域幅と前記スケジュールされたアップリンク送信の帯域幅を一致させる
のうちの少なくとも１つを実行するようにさらに構成される、Ｃ２４に記載の装置。
［Ｃ２６］
前記ＣＵＢＳの前記帯域幅と前記スケジュールされたアップリンク送信の前記帯域幅を一致させるように構成された前記プロセッサが、
前記ＣＵＢＳの帯域幅と前記スケジュールされたアップリンク送信に割り振られた周波数トーンセットを一致させる
ようにさらに構成される、Ｃ２５に記載の装置。
［Ｃ２７］
前記スケジュールされたアップリンク送信が、物理アップリンク共有チャネル（ＰＵＳＣＨ）送信、物理アップリンク制御チャネル（ＰＵＣＣＨ）送信、およびサウンディング基準信号（ＳＲＳ）送信からなる群から選択される送信を備える、Ｃ２４に記載の装置。
［Ｃ２８］
前記ＣＵＢＳの前記波形がさらに、前記ワイヤレスデバイスの識別情報に少なくとも部分的に基づいて生成される、Ｃ２４に記載の装置。
［Ｃ２９］
前記ＣＵＢＳの前記波形がさらに、前記スケジュールされたアップリンク送信が最初にスケジュールされた送信期間の識別情報に少なくとも部分的に基づいて生成される、Ｃ２４に記載の装置。
［Ｃ３０］
ワイヤレス通信のためのコードを記憶する非一時的コンピュータ可読媒体であって、前記コードが、
ワイヤレスデバイスにおいてチャネル使用ビーコン信号（ＣＵＢＳ）を生成することと、ここにおいて、前記ＣＵＢＳの波形が、前記ワイヤレスデバイスによるスケジュールされたアップリンク送信に少なくとも部分的に基づく、
前記スケジュールされたアップリンク送信の前にアンライセンス無線周波数スペクトル帯域を占有するために、前記ワイヤレスデバイスによって、前記アンライセンス無線周波数スペクトル帯域を介して前記ＣＵＢＳを送信することと
を行うようにプロセッサによって実行可能な命令を備える、非一時的コンピュータ可読媒体。
【図１】
0006612265.tif 000006
【図２】
0006612265.tif 000007
【図３】
0006612265.tif 000008
【図４】
0006612265.tif 000009
【図５】
0006612265.tif 000010
【図６】
0006612265.tif 000011
【図７】
0006612265.tif 000012
【図８】
0006612265.tif 000013
【図９】
0006612265.tif 000014
【図１０】
0006612265.tif 000015
【図１１】
0006612265.tif 000016
【図１２】
0006612265.tif 000017
【図１３】
0006612265.tif 000018
【図１４】
0006612265.tif 000019
【図１５】
0006612265.tif 000020
【図１６】
0006612265.tif 000021
【図１７】
0006612265.tif 000022